(57)【要約】  ＤＦＴ（Discrete Fourier Transform）回路規模を増加させずに、柔軟な周波数スケジューリングを行う無線通信装置及び無線通信方法を開示する。例えば、Ｔｙｐｅ０割当のように、システム帯域が複数に分割されたＲＢＧ（RB Group）ごとに、リソースが割り当てられたか否かを示すリソース割当情報が通知される場合に、割当ＲＢ数設定部（２０８）は、リソース割当情報により通知される通知ＲＢ数が、「２ｎ×３ｍ×５ｌ」で表現できない場合、通知ＲＢ数に対応する実際の送信帯域に用いる割当リソースブロック数を、「２ｎ×３ｍ×５ｌ」のいずれかで表現できるリソースブロック数に設定し、割当ＲＢ選択部（２０９）は、リソース割当情報、及び、割当ＲＢ数から、実際の送信帯域に用いられる割当ＲＢを選択する。
2010106783.tif 000002
【特許請求の範囲】
【請求項１】
システム帯域が複数に分割されたグループごとに、リソースが割り当てられたか否かを示すリソース割当情報を受信する受信手段と、
前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定する設定手段と、
前記リソース割当情報、及び、前記割当リソースブロック数から、実際の送信帯域に用いられる割当リソースブロックを選択する選択手段と、
を具備する無線通信装置。
【請求項２】
前記設定手段は、
前記通知リソースブロック数に最も近い「２ｎ×３ｍ×５ｌ」で表現できるリソースブロック数を、前記割当リソースブロック数に設定する、
請求項１に記載の無線通信装置。
【請求項３】
前記設定手段は、
前記通知リソースブロック数より大きい「２ｎ×３ｍ×５ｌ」で表現できるリソースブロック数のうち、最小のリソースブロック数を、前記割当リソースブロック数に設定する、
請求項１に記載の無線通信装置。
【請求項４】
前記設定手段は、
前記通知リソースブロック数より小さい「２ｎ×３ｍ×５ｌ」で表現できるリソースブロック数のうち、最大のリソースブロック数を、前記割当リソースブロック数に設定する、
請求項１に記載の無線通信装置。
【請求項５】
前記選択手段は、
前記通知リソースブロックのうち、低周波数側又は高周波数側のリソースブロックから、前記割当リソースブロックを選択する、
請求項１に記載の無線通信装置。
【請求項６】
前記選択手段は、
前記通知リソースブロックのうち、クラスタの高周波数側又は低周波数側のリソースブロックを、前記割当リソースブロック以外の前記送信帯域に利用しないリソースブロックとして選択する、
請求項１に記載の無線通信装置。
【請求項７】
前記選択手段は、
前記通知リソースブロックのうち、低周波数側から所定数のリソースブロックを、前記割当リソースブロックとして選択する、
請求項１に記載の無線通信装置。
【請求項８】
前記通知リソースブロック数が異なり、前記割当リソースブロック数が同一となる場合、
前記選択手段は、
前記通知リソースブロック数に応じて、前記割当リソースブロックの組み合わせを異なる組み合わせとする、
請求項１に記載の無線通信装置。
【請求項９】
実際のリソースとして割り当てる割当リソースブロック数を「２ｎ×３ｍ×５ｌ」（ｎ，ｍ，ｌは０以上の整数）のいずれかで表現できるリソースブロック数とし、リソースを割り当てるか否かを決定するスケジューリング手段と、
システム帯域が複数に分割されたグループのうち、前記実際のリソースに対応するグループの情報を、リソース割当情報として送信する送信手段と、
を具備する無線通信装置。
【請求項１０】
システム帯域が複数に分割されたグループごとに、リソースが割り当てられたか否かを示すリソース割当情報を受信し、
前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定し、
前記リソース割当情報、及び、前記割当リソースブロック数から、実際の送信帯域に用いられる割当リソースブロックを選択する、
無線通信方法。
【発明の詳細な説明】
【技術分野】
【０００１】
本発明は、データ信号を非連続帯域割り当てる無線通信システムにおける無線通信装置及び無線通信方法に関する。
【背景技術】
【０００２】
３ＧＰＰ  ＬＴＥ（3rd Generation Partnership Project Long Term Evolution）上り回線では、データ信号の連続帯域割当のみがサポートされている。さらに、ＬＴＥ上り回線では、ＤＦＴ（Discrete Fourier Transform：離散フーリエ変換）回路の規模を軽減するために、割当可能なＲＢ（Resource Block）数が「２ｎ×３ｍ×５ｌ」（ｎ，ｍ，ｌは、０以上の整数）で表現できるＲＢ数のみに制限されている（非特許文献１参照）。【０００３】
一方、ＬＴＥ−Ａ（LTE-Advanced）上り回線では周波数スケジューリング効果を高めるために、データ信号の非連続帯域割当のサポートが検討されている（図１参照）。非連続割当は、ＬＴＥ下り回線では既に適用されており、ＬＴＥ下り回線では、非連続割当時のＲＢ割当通知をビットマップで通知するＴｙｐｅ０割当が用いられている（非特許文献２）。Ｔｙｐｅ０割当では、ＲＢ割当通知のシグナリング量を抑えることができるため、ＬＴＥ−Ａ上り回線でも、非連続割当時のＲＢ割当通知にＴｙｐｅ０割当を流用することが有力である。【０００４】
図２を用いて、Ｔｙｐｅ０割当について説明する。Ｔｙｐｅ０割当では、Ｐ個の連続するＲＢを１つのＲＢグループ（ＲＢＧ：Resource Block Group）とし、ＲＢＧ単位でリソースを割り当てるか否か示すシグナリングビット（１又は０）を立て、これらシグナリングビットから構成されるビットマップを通知する。端末装置（以下「端末」と略記する）は、ビットマップにおいて、シグナリングビットが１のＲＢＧ内のＰ（ＲＢ）のリソースは送信帯域として割り当てられ、シグナリングビットが０のＲＢＧ内のＰ（ＲＢ）のリソースは送信帯域として割り当てられないと判断する。なお、ＬＴＥ下り回線では、システム帯域幅ごとにＲＢＧサイズ（Ｐ）が異なっている（表１参照）。
【表１】
2010106783.tif 000003
【先行技術文献】
【特許文献】
【０００５】
【非特許文献１】TS36.211 v8.5.0“3GPP TSG RAN; Evolved Universal Terrestrial Radio Access(E-UTRA); Physical Channel and Modulation
【非特許文献２】7.1.6 TS36.213 v8.4.0“3GPP TSG RAN; Evolved Universal Terrestrial Radio Access(E-UTRA); Physical layer procedures
【発明の概要】
【発明が解決しようとする課題】
【０００６】
しかしながら、Ｔｙｐｅ０割当を用いる場合、端末に割り当てられるＲＢ数はＰ（ＲＢ）の倍数のＲＢ数に制限されてしまう。さらに、ＬＴＥ上り回線と同様に、ＬＴＥ−Ａ上り回線においても、「２ｎ×３ｍ×５ｌ」で表現できるＲＢ数のみが送信帯域に割当可能なＲＢ数として適用されるようにすると、「２ｎ×３ｍ×５ｌ」で表現できないＲＢ数は、実際には送信帯域に割り当てられないＲＢ数となってしまう。【０００７】
図３は、Ｔｙｐｅ０割当におけるＰ＝４の場合の例である。図３に示すＰ（ＲＢ）の倍数のうち、丸印が付されたＲＢ数は、「２ｎ×３ｍ×５ｌ」で表現できるＲＢ数を示し、×印が付されたＲＢ数は、「２ｎ×３ｍ×５ｌ」で表現できないＲＢ数を示している。このように、「２ｎ×３ｍ×５ｌ」で表現できないＲＢ数を、実際には送信帯域に割り当てることができないＲＢ数とすると、割り当てることができないＲＢ数が多くなり、柔軟なリソース割当が困難となるため、周波数スケジューリング効果が低下してしまう。【０００８】
一方、「２ｎ×３ｍ×５ｌ」で表現できないＲＢ数であっても、割当可能なＲＢ数とすると、ＤＦＴ回路の回路規模が大きくなってしまう。【０００９】
本発明の目的は、ＤＦＴ回路規模を増加させずに、柔軟な周波数スケジューリングを行うことができる無線通信装置及び無線通信方法を提供することである。
【課題を解決するための手段】
【００１０】
本発明の無線通信装置は、システム帯域が複数に分割されたグループごとに、リソースが割り当てられたか否かを示すリソース割当情報を受信する受信手段と、前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定する設定手段と、前記リソース割当情報、及び、前記割当リソースブロック数から、実際の送信帯域に用いられる割当リソースブロックを選択する選択手段と、を具備する構成を採る。【００１１】
本発明の無線通信装置は、実際のリソースとして割り当てる割当リソースブロック数を「２ｎ×３ｍ×５ｌ」（ｎ，ｍ，ｌは０以上の整数）のいずれかで表現できるリソースブロック数とし、リソースを割り当てるか否かを決定するスケジューリング手段と、システム帯域が複数に分割されたグループのうち、前記実際のリソースに対応するグループの情報を、リソース割当情報として送信する送信手段と、を具備する構成を採る。【００１２】
本発明の無線通信方法は、システム帯域が複数に分割されたグループごとに、リソースが割り当てられたか否かを示すリソース割当情報を受信し、前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定し、前記リソース割当情報、及び、前記割当リソースブロック数から、実際の送信帯域に用いられる割当リソースブロックを選択するようにした。
【発明の効果】
【００１３】
本発明によれば、ＤＦＴ回路規模を増加させずに、柔軟な周波数スケジューリングを行うことができる。
【図面の簡単な説明】
【００１４】
【図１】ＬＴＥ−Ａ上り回線におけるデータ信号の非連続帯域割当を説明するための図
【図２】ＬＴＥ−Ａ下り回線におけるＴｙｐｅ０割当を説明するための図
【図３】ＤＦＴ回路を用いる場合に割当不可となるＲＢ数を説明するための図
【図４】本発明の一実施の形態に係る基地局の構成を示すブロック図
【図５】上記実施の形態に係る端末の構成を示すブロック図
【図６】通知ＲＢ数と割当ＲＢ数との［対応例＃１−１］を示す図
【図７】通知ＲＢ数と割当ＲＢ数との［対応例＃１−２］を示す図
【図８】通知ＲＢ数と割当ＲＢ数との［対応例＃１−３］を示す図
【図９】通知ＲＢ数と割当ＲＢ数との［対応例＃１−４］を示す図
【図１０】通知ＲＢ数と割当ＲＢ数との［対応例＃２］を示す図
【図１１Ａ】割当ＲＢの［選択例＃１］を示す図
【図１１Ｂ】割当ＲＢの［選択例＃１］の別の例を示す図
【図１１Ｃ】割当ＲＢの［選択例＃１］の別の例を示す図
【図１２】割当ＲＢの［選択例＃２］を示す図
【図１３Ａ】割当ＲＢの［選択例＃３］を示す図
【図１３Ｂ】割当ＲＢの［選択例＃３］の別の例を示す図
【図１３Ｃ】割当ＲＢの［選択例＃３］の別の例を示す図
【図１３Ｄ】割当ＲＢの［選択例＃３］の別の例を示す図
【図１４】割当ＲＢの［選択例＃４］を示す図
【図１５】割当ＲＢの［選択例＃５］を示す図
【図１６】割当ＲＢの［選択例＃６］を示す図
【図１７】割当ＲＢの［選択例＃７］を示す図
【図１８】割当ＲＢの［選択例＃７］の別の例を示す図
【発明を実施するための形態】
【００１５】
以下、本発明の実施の形態について、図面を参照して詳細に説明する。
【００１６】
（実施の形態）
本発明の実施の形態に係る基地局装置（以下「基地局」と略記する）１００の構成について、図４を用いて説明する。
【００１７】
符号化部１０１は、送信データ（下り回線データ）、誤り検出部１１７から入力される応答信号（ＡＣＫ（Acknowledgment）信号又はＮＡＣＫ（Negative Acknowledgment）信号）、スケジューリング部１１０から入力される各端末のリソース割当情報、及びＭＣＳ（Modulation Coding Schemes）等の制御情報を入力とし、これら入力データを符号化し、符号化データを変調部１０２に出力する。
【００１８】
変調部１０２は、符号化データを変調し、変調信号を送信ＲＦ（Radio Frequency）部１０３に出力する。
【００１９】
送信ＲＦ部１０３は、変調信号にＤ／Ａ（Digital to Analog）変換、アップコンバート、増幅等の送信処理を施し、送信処理を施した信号をアンテナ１０４から各端末へ無線送信する。
【００２０】
受信ＲＦ部１０５は、アンテナ１０４を介して受信した信号にダウンコンバート、Ａ／Ｄ（Analog to Digital）変換等の受信処理を施し、受信処理を施した信号を分離部１０６に出力する。
【００２１】
分離部１０６は、受信ＲＦ部１０５から入力される信号をパイロット信号とデータ信号と制御信号とに分離する。分離部１０６は、分離後のパイロット信号をＤＦＴ（Discrete Fourier Transform）部１０７に出力し、データ信号及び制御信号をＤＦＴ部１１１に出力する。
【００２２】
ＤＦＴ部１０７は、分離部１０６から入力されるパイロット信号にＤＦＴ処理を施し、時間領域から周波数領域の信号に変換し、周波数領域に変換したパイロット信号をデマッピング部１０８に出力する。なお、ＤＦＴ部１０７は、ＦＦＴ（Fast Fourier Transform）処理を行うＦＦＴ部と置き換えてもよい。
【００２３】
デマッピング部１０８は、ＤＦＴ部１０７から入力される周波数領域のパイロット信号から各端末の送信帯域に対応した部分のパイロット信号を抽出する。そして、デマッピング部１０８は、抽出した各パイロット信号を伝搬路推定部１０９に出力する。
【００２４】
伝搬路推定部１０９は、デマッピング部１０８から入力されるパイロット信号に基づいて、チャネルの周波数変動（チャネルの周波数応答）の推定値及び受信品質の推定値を推定する。伝搬路推定部１０９は、チャネルの周波数変動の推定値を周波数領域等化部１１３に出力し、受信品質の推定値をスケジューリング部１１０に出力する。
【００２５】
スケジューリング部１１０は、伝搬路推定部１０９から入力される受信品質の推定値を用いて各端末にリソースブロック（Resource Block：ＲＢ）を割り当てる。以降、各端末に割り当てられたリソースブロック、すなわち、各端末が実際の送信帯域に用いるリソースブロックを、以降、「割当リソースブロック（割当ＲＢ）」と呼ぶ。なお、スケジューリング部１１０は、割当ＲＢの数（割当ＲＢ数）が、「２ｎ×３ｍ×５ｌ」（ｎ，ｍ，ｌは０以上の整数）で表現できる数となるように、割当ＲＢを設定する。これにより、各端末は、入力数が「２ｎ×３ｍ×５ｌ」のＤＦＴ処理を行えるようになるので、ＤＦＴ回路規模を軽減することができる。なお、スケジューリング部１１０における割当ＲＢの設定方法については、後述する。スケジューリング部１１０は、各端末の割当ＲＢの情報を、デマッピング部１０８及びデマッピング部１１２に出力する。
【００２６】
また、スケジューリング部１１０は、割当ＲＢの情報を示すリソース割当情報を含む制御情報を生成し、生成した制御情報を符号化部１０１に出力する。例えば、スケジューリング部１１０は、割当ＲＢを含むＲＢＧに、ＲＢＧが送信帯域に割り当てられたか否かを示すシグナリングビット（１又は０）を立てたビットマップを、リソース割当情報として生成する。以降、リソース割当情報により通知される、送信帯域として割り当てられたリソースブロックを「通知リソースブロック（通知ＲＢ）」と呼ぶ。なお、スケジューリング部１１０における通知ＲＢの設定方法については、後述する。スケジューリング部１１０は、生成したリソース割当情報を符号化部１０１に出力する。
【００２７】
ＤＦＴ部１１１は、分離部１０６から入力されるデータ信号にＤＦＴ処理を施し、時間領域から周波数領域の信号に変換する。そして、ＤＦＴ部１１１は、周波数領域に変換したデータ信号をデマッピング部１１２に出力する。なお、ＤＦＴ部１１１は、ＦＦＴ（Fast Fourier Transform）処理を行うＦＦＴ部と置き換えてもよい。
【００２８】
デマッピング部１１２は、ＤＦＴ部１１１から入力される信号から各端末の送信帯域に対応した部分のデータ信号を抽出する。そして、デマッピング部１１２は、抽出した各信号を周波数領域等化部１１３に出力する。
【００２９】
周波数領域等化部１１３は、伝搬路推定部１０９から入力されるチャネルの周波数変動の推定値を用いて、デマッピング部１１２から入力されるデータ信号及び制御信号に等化処理を施し、等化処理後の信号をＩＦＦＴ（Inverse Fast Fourier Transform）部１１４に出力する。
【００３０】
ＩＦＦＴ部１１４は、周波数領域等化部１１３から入力されるデータ信号にＩＦＦＴ処理を施し、ＩＦＦＴ処理後の信号を復調部１１５に出力する。なお、ＩＦＦＴ部１１４は、ＩＤＦＴ（Inverse Discrete Fourier Transform）処理を行うＩＤＦＴ部と置き換えてもよい。
【００３１】
復調部１１５は、ＩＦＦＴ部１１４から入力される信号に復調処理を施し、復調処理後の信号を復号部１１６に出力する。
【００３２】
復号部１１６は、復調部１１５から入力される信号に復号処理を施し、復号処理後の信号（復号ビット列）を誤り検出部１１７に出力する。
【００３３】
誤り検出部１１７は、復号部１１６から入力される復号ビット列に対して、例えば、ＣＲＣ（Cyclic Redundancy Check）を用いて誤り検出を行う。誤り検出部１１７は、誤り検出の結果、復号ビットに誤りが有る場合には応答信号としてＮＡＣＫ信号を生成し、復号ビットに誤りが無い場合には応答信号としてＡＣＫ信号を生成し、生成した応答信号を符号化部１０１に出力する。また、誤り検出部１１７は、復号ビットに誤りが無い場合は、データ信号を受信データとして出力する。また、誤り検出部１１７は、制御信号に含まれるＭＣＳ等の情報を符号化部１０１に出力する。
【００３４】
次に、本発明の実施の形態に係る端末２００の構成について、図５を用いて説明する。
【００３５】
受信ＲＦ部２０２は、アンテナ２０１を介して受信した基地局からの信号にダウンコンバート、Ａ／Ｄ変換等の受信処理を施し、受信処理を施した信号を復調部２０３に出力する。
【００３６】
復調部２０３は、受信ＲＦ部２０２から入力される信号に等化処理及び復調処理を施し、これら処理後の信号を復号部２０４に出力する。
【００３７】
復号部２０４は、復調部２０３から入力される信号に復号処理を施し、受信データ及び制御情報を抽出する。ここで、制御情報には、応答信号（ＡＣＫ信号又はＮＡＣＫ信号）、リソース割当情報、ＭＣＳ情報等が含まれる。復号部２０４は、抽出した制御情報のうち、リソース割当情報を割当ＲＢ数設定部２０８及び割当ＲＢ選択部２０９に出力し、ＭＣＳ情報等を符号化部２０６及び変調部２０７に出力する。
【００３８】
ＣＲＣ部２０５は、送信データを入力とし、送信データに対してＣＲＣ符号化を行ってＣＲＣ符号化データを生成し、生成したＣＲＣ符号化データを符号化部２０６に出力する。
【００３９】
符号化部２０６は、復号部２０４から入力される制御情報に基づいて、ＣＲＣ部２０５から入力されるＣＲＣ符号化データを符号化し、得られた符号化データを変調部２０７に出力する。
【００４０】
変調部２０７は、復号部２０４から入力される制御情報に基づいて、符号化部２０６から入力される符号化データを変調し、変調後のデータ信号をＲＢ割当部２１０に出力する。
【００４１】
割当ＲＢ数設定部２０８は、復号部２０４から入力されるリソース割当情報から、実際に送信帯域に用いられるＲＢ数（以下「割当ＲＢ数」という）を設定する。リソース割当情報が示すＲＢ数（通知ＲＢ数）が「２ｎ×３ｍ×５ｌ」で表現できるＲＢ数である場合はそのＲＢ数を割当ＲＢ数とし、リソース割当情報が示すＲＢ数（通知ＲＢ数）が「２ｎ×３ｍ×５ｌ」で表現できないＲＢ数である場合は規定の設定方法に基づいて割当ＲＢ数を決定する。割当ＲＢ数の設定方法については、後述する。割当ＲＢ数設定部２０８は、設定した割当ＲＢ数の情報を割当ＲＢ選択部２０９に出力する。
【００４２】
割当ＲＢ選択部２０９は、復号部２０４から入力されるリソース割当情報、及び、割当ＲＢ数設定部２０８から入力される割当ＲＢ数から、実際の送信帯域に用いられる割当ＲＢを選択する。リソース割当情報が示すＲＢ数（通知ＲＢ数）が「２ｎ×３ｍ×５ｌ」で表現できるＲＢ数である場合はそのＲＢを割当ＲＢとし、リソース割当情報が示すＲＢ数（通知ＲＢ数）が「２ｎ×３ｍ×５ｌ」で表現できないＲＢ数である場合は規定の選択方法に基づいて割当ＲＢを決定する。割当ＲＢの選択方法については、後述する。割当ＲＢ選択部２０９は、選択した割当ＲＢの情報（割当ＲＢ情報）をＲＢ割当部２１０に出力する。
【００４３】
ＲＢ割当部２１０は、変調部２０７から入力されるデータ信号にＤＦＴ処理を施し、時間領域から周波数領域の信号に変換する。なお、本実施の形態では、ＲＢ割当部２１０は、変調部２０７から入力されるデータ信号の入力数が「２ｎ×３ｍ×５ｌ」として、ＤＦＴ処理を行う。そして、割当ＲＢ選択部２０９から入力される割当ＲＢ情報に基づいて、ＤＦＴ処理後の信号をＲＢに割り当て、ＲＢに割り当てられたデータ信号にＩＦＦＴ処理を施し、多重化部２１１に出力する。
【００４４】
多重化部２１１は、パイロット信号とＲＢ割当部２１０から入力されるデータ信号とを時間多重し、送信ＲＦ部２１２に出力する。
【００４５】
送信ＲＦ部２１２は、多重化部２１１から入力される多重信号にＤ／Ａ変換、アップコンバート、増幅等の送信処理を施し、送信処理を施した信号をアンテナから基地局へ無線送信する。
【００４６】
次に、割当ＲＢ数設定部２０８における割当ＲＢ数の設定方法、及び、割当ＲＢ選択部２０９における割当ＲＢの選択方法について説明する。
【００４７】
以下では、例えば、Ｔｙｐｅ０割当のように、システム帯域が複数に分割されたグループごとに、自局が送信を行うためのリソースが割り当てられたか否かを示すシグナリングビット（１又は０）を用いて通知するリソース割当情報を例に説明する。Ｔｙｐｅ０割当では、Ｐ個の連続するＲＢのグループ（ＲＢＧ）単位で、リソースを割り当てるか否かが通知される。したがって、Ｔｙｐｅ０割当では、ビットマップにおいて、シグナリングビットが１のＲＢＧ、すなわち、送信帯域に割り当てられたＲＢＧに含まれるＲＢの合計数（以下「通知ＲＢ数」）は、Ｐの倍数となる。そのため、通知ＲＢ数が「２ｎ×３ｍ×５ｌ」で表現できるＲＢ数でない場合、端末２００は、リソース割当情報から、割当ＲＢ数を設定し、割当ＲＢを選択する必要がある。
【００４８】
始めに、割当ＲＢ数設定部２０８における割当ＲＢ数の設定方法について説明する。本実施の形態では、通知ＲＢ数と割当ＲＢ数との対応表を基地局１００と端末２００とで共有する。
【００４９】
以下、通知ＲＢ数と割当ＲＢ数との対応例について説明する。
【００５０】
割当ＲＢ数設定部２０８は、通知ＲＢ数が「２ｎ×３ｍ×５ｌ」で表現できるＲＢ数でない場合、通知ＲＢ数に対応する割当ＲＢ数を「２ｎ×３ｍ×５ｌ」のいずれかで表現できるＲＢ数に設定する。
【００５１】
［対応例＃１−１］
割当ＲＢ数設定部２０８は、割当ＲＢ数を、通知ＲＢ数に最も近い「２ｎ×３ｍ×５ｌ」で表現できるＲＢ数に設定する。これにより、Ｐ（ＲＢ）単位の分解度の割当に近い割当が可能となり、周波数スケジューリング効果を高めることができる。
【００５２】
図６は、［対応例＃１−１］における通知ＲＢ数と割当ＲＢ数との対応表を示す。一例として、リソース割当情報がＰ＝４のＴｙｐｅ０割当で通知される場合に、リソース割当情報として、ビットマップ「111111100000000000000000000000」が通知される場合を考える。なお、Ｐ＝４の場合、ビットマップにおける「1」又は「0」の各ビットは、４個のＲＢから構成される各ＲＢＧに対応する（以下の他の対応例についても同様とする）。したがって、ビットマップ「111111100000000000000000000000」が通知された場合、通知ＲＢ数が「２８」（＝Ｐ×７＝４×７）であることを示す。しかし、「２８」は、「２ｎ×３ｍ×５ｌ」で表現できるＲＢ数ではない。そこで、リソース割当情報として、例えばビットマップ「111111100000000000000000000000」が通知された場合、［対応例＃１−１］では、「２ｎ×３ｍ×５ｌ」で表現できるＲＢ数のうち「２８」に最も近い「２７」を、当該ビットマップで通知された場合の割当ＲＢ数として設定する。
【００５３】
［対応例＃１−２］
割当ＲＢ数設定部２０８は、通知ＲＢ数よりも大きい「２ｎ×３ｍ×５ｌ」で表されるＲＢ数のうち、最小のＲＢ数を割当ＲＢ数に設定する。これにより、後述するリソース割当処理が比較的容易となる。また、各クラスタの帯域幅を広くすることができるので、チャネル推定精度を改善することができる。なお、クラスタとは、連続するＲＢＧにより構成される連続帯域である。
【００５４】
図７は、［対応例＃１−２］における通知ＲＢ数と割当ＲＢ数との対応表を示す。リソース割当情報として、例えばビットマップ「111111100000000000000000000000」が通知された場合、通知ＲＢ数が「２８」であることを示す。しかし、「２８」は、「２ｎ×３ｍ×５ｌ」で表現できるＲＢ数ではない。そこで、リソース割当情報としてビットマップ「111111100000000000000000000000」が通知された場合、［対応例＃１−２］では、「２８」より大きい「２ｎ×３ｍ×５ｌ」で表現できるＲＢ数のうち、最小の「３０」を、当該ビットマップで通知された場合の割当ＲＢ数とする。
【００５５】
［対応例＃１−３］
割当ＲＢ数設定部２０８は、通知ＲＢ数よりも小さい「２ｎ×３ｍ×５ｌ」で表されるＲＢ数のうち、最大のＲＢ数を割当ＲＢ数に設定する。これにより、後述するリソース割当処理が比較的容易となる。また、Ｔｙｐｅ０割当において、同一のＲＢＧが複数の端末に割り当てられなければ、端末間で同一のＲＢが用いられることがないので、周波数スケジューリングが容易となる。
【００５６】
図８は、［対応例＃１−３］における通知ＲＢ数と割当ＲＢ数との対応表を示す。リソース割当情報として、例えばビットマップ「111111100000000000000000000000」が通知された場合、通知ＲＢ数が「２８」であることを示す。しかし、「２８」は、「２ｎ×３ｍ×５ｌ」で表現できるＲＢ数ではない。そこで、リソース割当情報としてビットマップ「111111100000000000000000000000」が通知された場合、［対応例＃１−３］では、「２８」より小さい「２ｎ×３ｍ×５ｌ」で表現できるＲＢ数のうち、最小の「２７」を、当該ビットマップで通知された場合の割当ＲＢ数とする。
【００５７】
［対応例＃１−４］
割当ＲＢ数設定部２０８は、通知ＲＢ数、又は、シグナリングに応じて、［対応例＃１−２］と［対応例＃１−３］とを切り替える。
【００５８】
図９は、通知ＲＢ数に応じて、［対応例＃１−２］と［対応例＃１−３］とを切り替える場合の通知ＲＢ数と割当ＲＢ数との対応表を示す。図９に示す［対応例＃１−４］では、リソース割当情報として、通知ＲＢ数「２８」、「４４」、「６８」、「８８」、「９２」、「１０４」、「１１２」及び「１１６」が通知された場合、割当ＲＢ数設定部２０８は、［対応例＃１−２］に従い、通知ＲＢ数よりも大きい「２ｎ×３ｍ×５ｌ」で表されるＲＢ数のうち、最小のＲＢ数を割当ＲＢ数に設定する。また、リソース割当情報として、通知ＲＢ数「５２」、「５６」、「７６」、及び「８４」が通知された場合、割当ＲＢ数設定部２０８は、［対応例＃１−３］に従い、通知ＲＢ数よりも小さい「２ｎ×３ｍ×５ｌ」で表されるＲＢ数のうち、最大のＲＢ数を割当ＲＢ数に設定する。これにより、図９の［対応例＃１−４］では、図７の［対応例＃１−２］において割当ＲＢ数として選択できるＲＢ数に加え、さらに「５０」及び「８１」を選択することができるようになる。このようにして、通知ＲＢ数に応じて、［対応例＃１−２］と［対応例＃１−３］とを切り替えることにより、割当ＲＢ数として選択できるＲＢ数を増やすことができるため、リソース割当の柔軟性を高めることができる。なお、例えば、前後の割当ＲＢ数と同じ割当ＲＢ数になる確率を減らすように図７と図８とを切り替えるように設定してもよい。
【００５９】
また、割当ＲＢ数設定部２０８は、例えば、基地局１００から通知される制御情報に含まれる切り替え指示信号（例えば図７の［対応例＃１−２］か図８の［対応例＃１−３］かを示す１ビット）等のシグナリングに応じて、［対応例＃１−２］と［対応例＃１−３］とを切り替える。
【００６０】
［対応例＃２］
上述の［対応例＃１−１］〜［対応例＃１−４］では、通知ＲＢ数が「２ｎ×３ｍ×５ｌ」で表現できるＲＢ数でない場合、割当ＲＢ数が通知ＲＢ数に比較的近いＲＢ数に設定される。一方、［対応例＃２］では、ビットマップに対応する通知ＲＢ数が「２ｎ×３ｍ×５ｌ」で表現できるＲＢ数でない場合、当該ビットマップを他の「２ｎ×３ｍ×５ｌ」で表現できるＲＢ数に対応付ける。
【００６１】
図１０は、［対応例＃２］における通知ＲＢ数と割当ＲＢ数との対応表を示す。リソース割当情報がＴｙｐｅ０割当で通知される場合に、リソース割当情報として、例えばビットマップ「111111100000000000000000000000」が通知された場合、通知ＲＢ数が「２８」であることを示す。しかし、「２８」は、「２ｎ×３ｍ×５ｌ」で表現できるＲＢ数ではない。そこで、リソース割当情報として、例えばビットマット「111111100000000000000000000000」が通知された場合、［対応例＃２］では、割当ＲＢ数設定部２０８は、当該ビットマップで通知された場合の割当ＲＢ数を、「２ｎ×３ｍ×５ｌ」で表現できるＲＢ数のうち「２」に設定する。
【００６２】
なお、図１０は、Ｔｙｐｅ０割当の場合において、１ＲＢＧが４ＲＢから構成される場合に、「２ｎ×３ｍ×５ｌ」で表現できない通知ＲＢ数に、「２ｎ×３ｍ×５ｌ」で表現できるＲＢ数を小さい順に対応付けた例である。ただし、「２ｎ×３ｍ×５ｌ」で表現できるＲＢ数のうち、Ｐ（ＲＢ）の倍数の場合には、通知ＲＢ数をそのまま割当ＲＢ数とすれば良いので、図１０は、「２ｎ×３ｍ×５ｌ」で表現できない通知ＲＢ数に、「２ｎ×３ｍ×５ｌ」で表現できるＲＢ数のうち、４の倍数を除いたＲＢ数を小さい順に対応付けた例である。
【００６３】
以上、割当ＲＢ数設定部２０８における割当ＲＢ数の設定方法について説明した。
【００６４】
次に、割当ＲＢ選択部２０９における割当ＲＢの選択方法について説明する。
【００６５】
割当ＲＢ選択部２０９は、通知ＲＢ及び割当ＲＢ数に応じて、実際の送信帯域に用いるＲＢ（割当ＲＢ）を選択する。具体的には、通知ＲＢ数が割当ＲＢ数より大きい場合、割当ＲＢ選択部２０９は、通知ＲＢから、割当ＲＢを選択する。又は、割当ＲＢ選択部２０９は、通知ＲＢから実際の送信帯域に用いられないＲＢ（利用しないＲＢ）を選択し、通知ＲＢのうち利用しないＲＢ以外のＲＢを、割当ＲＢとする。また、通知ＲＢ数が割当ＲＢ数より小さい場合には、割当ＲＢ選択部２０９は、通知ＲＢを割当ＲＢとし、さらに割当ＲＢとして追加するＲＢ（追加ＲＢ）を選択する。
【００６６】
割当ＲＢ（追加ＲＢ又は利用しないＲＢ）の選択方法を、端末２００の割当ＲＢ選択部２０９と、基地局１００のスケジューリング部１１０との間で取り決めておけば、端末２００は、通知ＲＢ及び割当ＲＢ数から、スケジューリング部１１０によって割り当てられた割当ＲＢを容易に把握することができる。
【００６７】
［選択例＃１］
割当ＲＢ選択部２０９は、通知ＲＢのうち、低周波数側（又は高周波数側）のＲＢから順に、割当ＲＢ数分を割当ＲＢとして選択する。換言すると、割当ＲＢ選択部２０９は、通知ＲＢのうち、高周波数側（又は低周波数側）のＲＢから順に、（通知ＲＢ数−割当ＲＢ数）分のＲＢを利用しないＲＢとして選択する。
【００６８】
図１１Ａは、［対応例＃１−１］又は［対応例＃１−３］のように、通知ＲＢ数が「５２」であり、割当ＲＢ数が「５０」に設定された場合の例である。図１１Ａに示す例では、割当ＲＢ選択部２０９は、通知ＲＢの高周波数側のＲＢから順に、利用しないＲＢを２（５２−５０）個選択した例である。
【００６９】
図１１Ｂは、［対応例＃１−１］又は［対応例＃１−３］のように、通知ＲＢ数が「８４」であり、割当ＲＢ数が「８１」に設定された場合の例である。図１１Ｂに示す例では、割当ＲＢ選択部２０９は、通知ＲＢの高周波数側のＲＢから順に、利用しないＲＢを３（８４−８１）個選択した例である。
【００７０】
図１１Ｃは、［対応例＃２］のように、通知ＲＢ数が「２８」であり、割当ＲＢ数が「２」に設定された場合の例である。図１１Ｃに示す例では、割当ＲＢ選択部２０９は、通知ＲＢの低周波数側のＲＢから順に、割当ＲＢを２個選択した例である。
【００７１】
このようにして、割当ＲＢを低周波数側（又は高周波数側）のＲＢから順に通知ＲＢの端から割当ＲＢ数分だけ選択することにより、送信帯域に用いられないＲＢを高周波数側（又は低周波数側）の端に連続して確保することできるため、広い送信帯域幅の他局の端末を配置しやすくなる。
【００７２】
なお、割当ＲＢ選択部２０９は、通知ＲＢのうち、高周波数側のＲＢ及び低周波数側のＲＢの双方から利用しないＲＢを選択し、（通知ＲＢ数−割当ＲＢ数）分のＲＢを利用しないＲＢとしてもよい。
【００７３】
［選択例＃２］
上記［選択例＃１］では、割当ＲＢ選択部２０９は、通知ＲＢのうち、低周波数側（又は高周波数側）のＲＢから順に、割当ＲＢ数分を割当ＲＢとして選択した。［選択例＃２］では、通知ＲＢが複数のクラスタにより構成される場合に、割当ＲＢ選択部２０９は、各クラスタの低周波数側のＲＢから順に割当ＲＢを選択する。
【００７４】
図１２は、［対応例＃２］のように、通知ＲＢ数が「２８」であり、割当ＲＢ数が「２」に設定された場合の例である。図１２に示す例では、割当ＲＢ選択部２０９は、各クラスタの最も低周波数側のＲＢを、割当ＲＢとして２個選択した例である。このようにして、通知ＲＢが複数のクラスタにより構成される場合、割当ＲＢ選択部２０９が、各クラスタの低周波数側のＲＢから順に割当ＲＢを選択することにより、割当ＲＢを非連続配置にすることができるため、周波数ダイバーシチ効果を向上させることができる。
【００７５】
［選択例＃３］
通知ＲＢが、複数のクラスタにより構成される場合に、割当ＲＢ選択部２０９は、クラスタの端（低周波数側又は高周波数側）のＲＢから連続して、利用しないＲＢを選択する。
【００７６】
図１３Ａは、［対応例＃１−１］又は［対応例＃１−３］のように、通知ＲＢ数が「５２」であり、割当ＲＢ数が「５０」に設定された場合の例である。図１３Ａは、通知ＲＢが、３つのクラスタ＃１、クラスタ＃２及びクラスタ＃３から構成される例であり、割当ＲＢ選択部２０９は、３つのクラスタのうち、クラスタ＃２の高周波数側の端から、利用しないＲＢを選択した例である。これにより、利用しないＲＢとして、クラスタ＃２の高周波数側の端に２個のＲＢが連続して確保される。
【００７７】
また、図１３Ｂは、［対応例＃１−１］又は［対応例＃１−３］のように、通知ＲＢ数が「８４」であり、割当ＲＢ数が「８１」に設定された場合の例である。図１３Ｂも、通知ＲＢが、３つのクラスタ＃１、クラスタ＃２及びクラスタ＃３から構成される例であり、割当ＲＢ選択部２０９は、３つのクラスタのうち、クラスタ＃２の高周波数側から、利用しないＲＢを選択した例である。これにより、利用しないＲＢとして、クラスタ＃２の高周波数側に３個のＲＢが連続して確保される。
【００７８】
図１３Ａ及び図１３Ｂに示すように、利用しないＲＢがある場合に、利用しないＲＢをクラスタの端（低周波数側又は高周波数側）に連続して確保することにより、利用しないＲＢを連続帯域にすることができるため、他局の広い送信帯域幅の端末を割当しやすくなる。
【００７９】
また、図１３Ｃに示すように、割当ＲＢ選択部２０９は、利用しないＲＢを、Ｔｙｐｅ０割当のビットマップでシグナリングビット０（割り当てない）が最も連続する領域に隣接するクラスタから選択するようにしてもよい。これにより、利用されない帯域幅を最も広くすることができ、他局の広い送信帯域幅の端末を割当しやすくなる。なお、複数のクラスタのうち、低周波数側又は高周波数側のクラスタに含まれるＲＢは、割当ＲＢとし、低周波数側又は高周波数側のクラスタからは、利用しないＲＢを選択しないようにしてもよい。これにより、システム帯域幅と実際の送信帯域幅との間に差が生じないようすることができる。
【００８０】
また、図１３Ｄに示すように、割当ＲＢ選択部２０９は、利用しないＲＢを、Ｔｙｐｅ０割当のビットマップでシグナリングビット１（割り当てる）が最も連続するクラスタから選択するようにしてもよい。これにより、各クラスタは広い送信帯域幅を確保することができるため、チャネル推定精度の低下を抑えることができる。なお、このとき、利用しないＲＢを、シグナリングビット１（割り当てる）が最も連続するクラスタの端から選択するようにすることにより、利用されない帯域幅を最も広くすることができるので、他局の広い送信帯域幅の端末を割当しやすくなる。
【００８１】
［選択例＃４］
割当ＲＢ選択部２０９は、利用しないＲＢが２ＲＢ以上存在する場合、これら利用しないＲＢを連続ＲＢとする。これにより、連続するＲＢが利用しないＲＢとなるため、他局の広い送信帯域幅の端末を割り当てやすい。図１４は、［選択例＃４］を示す例である。
【００８２】
［選択例＃５］
上記［選択例＃１］〜［選択例＃４］では、割当ＲＢ数が通知ＲＢ数より小さい場合の割当ＲＢの選択方法について説明した。［選択例＃５］では、割当ＲＢ数が通知ＲＢ数より大きい場合の割当ＲＢの選択方法について説明する。割当ＲＢ数が通知ＲＢ数より大きい場合、割当ＲＢ選択部２０９は、割当ＲＢとして通知ＲＢに追加するＲＢ（追加ＲＢ）を選択する。具体的には、割当ＲＢ選択部２０９は、Ｔｙｐｅ０割当のビットマップでシグナリングビット１（割り当てる）が通知されているＲＢに隣接するＲＢを追加ＲＢとして選択する。
【００８３】
図１５は、［選択例＃５］を示す例である。図１５に示すように、割当ＲＢ選択部２０９は、Ｔｙｐｅ０割当のビットマップでシグナリングビット１（割り当てる）が通知されているＲＢに隣接するＲＢを追加ＲＢとして選択する。これにより、連続するＲＢを送信帯域に割り当てることができるため、連続する広い送信帯域を確保することができ、チャネル推定精度を改善することができる。
【００８４】
なお、Ｔｙｐｅ０割当のビットマップでシグナリングビット１（割り当てる）が最も帯域幅が狭いクラスタの端に追加ＲＢを割り当ててもよい。これにより、短い帯域幅のクラスタが軽減されるため、パイロット信号の平均化処理効果が高まり、チャネル推定精度が改善される。
【００８５】
［選択例＃６］
［選択例＃６］では、通知ＲＢ数が異なるにも関わらず、割当ＲＢ数が同一になる場合の割当ＲＢの選択方法について説明する。上述の通知ＲＢ数と割当ＲＢ数との対応例では、通知ＲＢ数が異なるにも関わらず、割当ＲＢ数が同一になる場合がある。例えば、［対応例＃１−３］において、通知ＲＢ数が「８４」、「８８」のいずれの場合も、割当ＲＢ数は「８１」と同一になる。この場合に、［選択例＃１］で説明したように、低周波数側のクラスタのＲＢから利用しないＲＢを選択すると、通知ＲＢ数が「８４」、「８８」の場合いずれも、同一のＲＢが利用しないＲＢに選択されてしまう。そこで、通知ＲＢ数が異なるにも関わらず、割当ＲＢ数が同一になる場合の割当ＲＢは、利用しないＲＢとして異なるＲＢを選択するものとする。例えば、通知ＲＢ数が「８４」の場合には、割当ＲＢ選択部２０９は、クラスタの高周波数側のＲＢを利用しないＲＢとして選択し、通知ＲＢ数が「８８」の場合には、割当ＲＢ選択部２０９は、クラスタの低周波数側のＲＢを利用しないＲＢとして選択するようにする。
【００８６】
図１６は、［選択例＃６］を示す例である。このように、割当ＲＢ選択部２０９は、通知ＲＢ数が異なる場合には、割当ＲＢ数が同じであっても、利用しないＲＢが異なるＲＢとなるように選択することにより、通信ＲＢ数が異なる場合に、送信帯域を異なるＲＢ配置にすることができるため、同一のＲＢ割当の通知を避けることができ、必要のないシグナリングを軽減することができる。
【００８７】
［選択例＃７］
図１７及び図１８は、［選択例＃７］を示す例である。ＲＢＧ単位のリソース割当で通知された送信帯域幅の合計ＲＢ数（通知ＲＢ数）がＰ（ＲＢ）の倍数、かつ、「２ｎ×３ｍ×５ｌ」で表現できるＲＢ数でない場合、「２ｎ×３ｍ×５ｌ」で表現できるＲＢ数に対応する送信信号を生成し、その送信信号を周波数領域でCyclic Extension（図１７参照）又はTruncation（図１８参照）を用い、上記合計ＲＢ数を満たす送信信号に変換する。例えば、合計ＲＢ数が「２８」である場合、送信帯域幅２７ＲＢに対応する信号を生成し、ＤＦＴ処理で周波数スペクラムに変換した後、周波数スペクトラムの前半部分を後半部分に追加して２８ＲＢに一致させる。これにより、Ｐ（ＲＢ）の倍数、かつ、「２ｎ×３ｍ×５ｌ」で表現できないＲＢ数でもリソース割当できるため、周波数スケジューリング効果を改善できる。
【００８８】
以上、割当ＲＢ選択部２０９における割当ＲＢの選択方法について説明した。
【００８９】
次に、スケジューリング部１１０における割当ＲＢ及び通知ＲＢの設定方法について説明する。割当ＲＢ及び通知ＲＢの設定方法としては、２つの方法がある。以下、順に説明する。
【００９０】
［１］
スケジューリング部１１０は、伝搬路推定部１０９から入力される受信品質の推定値を用いて各端末の割当ＲＢを設定する。このとき、スケジューリング部１１０はＲＢＧ単位でリソースを割り当て、このＲＢ数が「２ｎ×３ｍ×５ｌ」（ｎ，ｍ，ｌは０以上の整数）で表現できない数である場合、送信帯域としてリソースを割り当てたＲＢＧ内の一部のＲＢを利用しないＲＢ、もしくは、送信帯域としてリソースを割り当てなかったＲＢＧ内の一部のＲＢを利用するＲＢとして、割当ＲＢ数が「２ｎ×３ｍ×５ｌ」（ｎ，ｍ，ｌは０以上の整数）で表現できる数になるように設定する。
【００９１】
利用しないＲＢもしくは追加するＲＢが存在しない場合、スケジューリング部１１０は、割当ＲＢ数と同一の数を通知ＲＢ数に設定するとともに、割当ＲＢに対応するリソース割当情報を生成する。一方、利用しないＲＢもしくは追加するＲＢが存在する場合、スケジューリング部１１０は、上述の通知ＲＢ数と割当ＲＢ数との対応例に基づいて割当ＲＢ数から通知ＲＢ数を設定するとともに、割当ＲＢに対応するリソース割当情報を生成する。これにより、非連続割当の場合においても、ＤＦＴ回路規模を増加させずに、柔軟な周波数スケジューリングを行うことができる。
【００９２】
例えば、スケジューリング部１１０が、［対応例＃２］及び［選択例＃１］に基づく場合に、割当ＲＢ数「２」の連続するＲＢを割当ＲＢに設定した場合を考える。この場合、スケジューリング部１１０は、［対応例＃２］に基づき、通知ＲＢ数を割当ＲＢ数「２」に対応する「２８」に設定する。また、スケジューリング部１１０は、［選択例＃１］に基づき、通知ＲＢを設定する。例えば、図１１Ｃに示すように、割当ＲＢが通知ＲＢの低周波数側のＲＢに順に配置されるような通知ＲＢを設定し、設定した通知ＲＢに対応するシグナリングビットで構成されるビットマップをリソース情報として生成する。
【００９３】
また、スケジューリング部１１０が、［対応例＃２］及び［選択例＃１］に基づく場合に、割当ＲＢ数「２」の不連続のＲＢを割当ＲＢに設定した場合を考える。この場合、スケジューリング部１１０は、［対応例＃２］に基づき、通知ＲＢ数を割当ＲＢ数「２」に対応する「２８」に設定する。また、スケジューリング部１１０は、［選択例＃１］に基づき、通知ＲＢを設定する。例えば、図１２に示すように、割当ＲＢが、クラスタの各クラスタの低周波数側のＲＢに配置されるような通知ＲＢを設定し、設定した通知ＲＢに対応するシグナリングビットで構成されるビットマップをリソース情報として生成する。
【００９４】
［２］
スケジューリング部１１０は、伝搬路推定部１０９から入力される受信品質の推定値を用いて、各端末に割り当てるＲＢ数を割当ＲＢ数として選択可能なＲＢ数から決定する。
【００９５】
そして、スケジューリング部１１０は、ＲＢＧ単位で上記割当ＲＢ数に対応するリソースを確保し、ここで確保したＲＢＧを示すリソース割当情報を生成する。これにより、確保されたＲＢＧに含まれるリソースブロックは、通知ＲＢとして各端末に通知される。なお、スケジューリング部１１０は、上述の通知ＲＢ数と割当ＲＢ数との対応例、及び、割当ＲＢの選択例に基づいて、送信帯域に用いるＲＢＧから利用しないＲＢもしくは追加するＲＢを決定する。これにより、スケジューリング部１１０は、割当ＲＢ数を「２ｎ×３ｍ×５ｌ」（ｎ，ｍ，ｌは０以上の整数）で表現できる数になるように設定することができるため、非連続割当の場合においても、ＤＦＴ回路規模を増加させずに、柔軟な周波数スケジューリングを行うことができる。
【００９６】
例えば、スケジューリング部１１０が、［対応例＃１−１］及び［選択例＃１］に基づく場合に、割当ＲＢ数「５０」の割当ＲＢを設定した場合を考える。この場合、スケジューリング部１１０は、［対応例＃２］に基づき、通知ＲＢ数を割当ＲＢ数「５０」に対応する「５２」に設定する。また、スケジューリング部１１０は、［選択例＃１］に基づき、通知ＲＢを確保する。例えば、図１１Ａに示すように、割当ＲＢが通知ＲＢの低周波数側のＲＢに順に配置されるような通知ＲＢを確保し、確保した通知ＲＢに対応するシグナリングビットで構成されるビットマップをリソース情報として生成する。
【００９７】
このように、スケジューリング部１１０は、通知ＲＢ数が「２ｎ×３ｍ×５ｌ」（ｎ，ｍ，ｌは０以上の整数）で表現できない場合、通知ＲＢ数に対応する実際の送信帯域に用いる割当ＲＢ数を、「２ｎ×３ｍ×５ｌ」のいずれかで表現できるリソースブロック数に設定し、割当ＲＢに対応するＲＢＧの情報を、リソース割当情報として生成する。
【００９８】
以上のように、本実施の形態では、割当ＲＢ数設定部２０８は、通知ＲＢ数が、「２ｎ×３ｍ×５ｌ」で表現できない場合、通知ＲＢ数に対応する割当リソースブロック数を、「２ｎ×３ｍ×５ｌ」のいずれかで表現できるリソースブロック数に設定し、割当ＲＢ選択部２０９は、リソース割当情報、及び、割当ＲＢ数から、実際の送信帯域に用いられる割当ＲＢを選択するようにした。また、スケジューリング部１１０は、通知ＲＢ数に対応する実際の送信帯域に用いる割当ＲＢ数を、「２ｎ×３ｍ×５ｌ」のいずれかで表現できるリソースブロック数に設定し、割当ＲＢに対応するＲＢＧの情報を、リソース割当情報として生成するようにした。これにより、ＤＦＴ回路規模を増加させずに、柔軟に周波数スケジューリングすることができるようになる。
【００９９】
なお、以上の説明では、Ｔｙｐｅ０割当に従い、ＲＢＧ単位でリソースを割り当てるか否か示すシグナリングビット（１又は０）を立て、これらシグナリングビットから構成されるビットマップが、リソース割当情報として通知される場合について説明したが、これに限られず、例えば、Ｐ（ＲＢ）単位で割り当てられるフォーマットとしてもよい。例えば、システム帯域がＰ（ＲＢ）単位で分割されたＲＢＧに対して、割り当てるリソースの最初と最後のＲＢＧを通知する方法でもよいし、割り当てるリソースの最初のＲＢＧとその帯域幅のＲＢＧ数を通知する方法でもよい。また、複数に分割されるグループは、必ずしもＰ（ＲＢ）単位で分割されていなくてもよく、ビットマップが対応するグループに含まれるＲＢ数を、基地局装置及び端末装置が共有していればよい。
【０１００】
また、以上の説明では、ＤＦＴ回路に入力されるＲＢ数が「２ｎ×３ｍ×５ｌ」に制限される場合について説明したが，ＤＦＴ回路に代えてＦＦＴ回路を用いる場合においても、本発明を適用することができる。ＦＦＴ回路では、ＦＦＴ回路に入力されるＲＢ数が「２ｎ」に制限されるので、「２ｎ×３ｍ×５ｌ」を「２ｎ」に置き替えて、追加ＲＢ数と割当ＲＢ数との対応表を設定するようにすればよい。ただし、本発明は、入力信号が「２ｎ」のＲＢ数に制限されるＦＦＴ回路よりも多数のＲＢ数を選択できるＤＦＴ回路により好適である。
【０１０１】
なお、基地局は、利用しないＲＢに他の端末のリソースを割り当ててもよいし、端末は、利用しないＲＢを自局又は他局の制御情報を送信するリソースとして用いてもよい。
【０１０２】
なお、本発明ではシステム帯域が分割されたグループ毎に送信帯域の割当の有無を指示するとしたが、システム帯域の全帯域ではなく、一部の帯域に適用されてもよい。すなわち、システム帯域が１００ＲＢにおいて、１００ＲＢに対してリソース割当情報が生成される場合に限定せず、５０ＲＢに対してリソース割当情報が生成される場合に適用してもよい。
【０１０３】
なお、上記実施の形態では各アンテナから各データ信号が送信される場合を想定して説明したが、本発明は各アンテナポート（antenna port）から各データ信号が送信される場合でも同様に適用できる。
【０１０４】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１０５】
例えば３ＧＰＰ  ＬＴＥにおいては、アンテナポートが何本の物理アンテナから構成されるかは規定されず、基地局が異なる参照信号（Reference signal）を送信できる最小単位として規定されている。
【０１０６】
また、アンテナポートはプリコーディングベクトル（Precoding vector）の重み付けを乗算する最小単位として規定されることもある。
【０１０７】
また、上記実施の形態では、本発明をハードウェアで構成する場合を例にとって説明したが、本発明はソフトウェアで実現することも可能である。
【０１０８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１１】
２００９年３月１６日出願の特願２００９−０６３０３２に含まれる明細書、図面及び要約書の開示内容は、すべて本願に援用される。
【産業上の利用可能性】
【０１１２】
本発明は、データ信号を非連続帯域割り当てる無線通信システムにおける無線通信装置及び無線通信方法等として有用である。
【符号の説明】
【０１１３】
１００  基地局
１０１，２０６  符号化部
１０２，２０７  変調部
１０３，２１２  送信ＲＦ部
１０４，２０１  アンテナ
１０５，２０２  受信ＲＦ部
１０６  分離部
１０７，１１１  ＤＦＴ部
１０８，１１２  デマッピング部
１０９  伝搬路推定部
１１０  スケジューリング部
１１３  周波数領域等化部
１１４  ＩＦＦＴ部
１１５，２０３  復調部
１１６，２０４  復号部
１１７  誤り検出部
２００  端末
２０５  ＣＲＣ部
２０８  割当ＲＢ数設定部
２０９  割当ＲＢ選択部
２１０  ＲＢ割当部
２１１  多重化部
【図１】
2010106783.tif 000004
【図２】
2010106783.tif 000005
【図３】
2010106783.tif 000006
【図４】
2010106783.tif 000007
【図５】
2010106783.tif 000008
【図６】
2010106783.tif 000009
【図７】
2010106783.tif 000010
【図８】
2010106783.tif 000011
【図９】
2010106783.tif 000012
【図１０】
2010106783.tif 000013
【図１１Ａ】
2010106783.tif 000014
【図１１Ｂ】
2010106783.tif 000015
【図１１Ｃ】
2010106783.tif 000016
【図１２】
2010106783.tif 000017
【図１３Ａ】
2010106783.tif 000018
【図１３Ｂ】
2010106783.tif 000019
【図１３Ｃ】
2010106783.tif 000020
【図１３Ｄ】
2010106783.tif 000021
【図１４】
2010106783.tif 000022
【図１５】
2010106783.tif 000023
【図１６】
2010106783.tif 000024
【図１７】
2010106783.tif 000025
【図１８】
2010106783.tif 000026
【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
システム帯域が複数に分割されたグループごとに、リソースが割り当てられたか否かを示すリソース割当情報を受信する受信手段と、
前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定する設定手段と、
前記リソース割当情報、及び、前記割当リソースブロック数から、実際の送信帯域に用いられる割当リソースブロックを選択する選択手段と、
を具備する無線通信装置。
【請求項２】
前記設定手段は、
前記通知リソースブロック数に最も近い「２ｎ×３ｍ×５ｌ」で表現できるリソースブロック数を、前記割当リソースブロック数に設定する、
請求項１に記載の無線通信装置。
【請求項３】
前記設定手段は、
前記通知リソースブロック数より大きい「２ｎ×３ｍ×５ｌ」で表現できるリソースブロック数のうち、最小のリソースブロック数を、前記割当リソースブロック数に設定する、
請求項１に記載の無線通信装置。
【請求項４】
前記設定手段は、
前記通知リソースブロック数より小さい「２ｎ×３ｍ×５ｌ」で表現できるリソースブロック数のうち、最大のリソースブロック数を、前記割当リソースブロック数に設定する、
請求項１に記載の無線通信装置。
【請求項５】
前記選択手段は、
前記通知リソースブロックのうち、低周波数側又は高周波数側のリソースブロックから、前記割当リソースブロックを選択する、
請求項１に記載の無線通信装置。
【請求項６】
前記選択手段は、
前記通知リソースブロックのうち、クラスタの高周波数側又は低周波数側のリソースブロックを、前記割当リソースブロック以外の前記送信帯域に利用しないリソースブロックとして選択する、
請求項１に記載の無線通信装置。
【請求項７】
前記選択手段は、
前記通知リソースブロックのうち、低周波数側から所定数のリソースブロックを、前記割当リソースブロックとして選択する、
請求項１に記載の無線通信装置。
【請求項８】
前記通知リソースブロック数が異なり、前記割当リソースブロック数が同一となる場合、
前記選択手段は、
前記通知リソースブロック数に応じて、前記割当リソースブロックの組み合わせを異なる組み合わせとする、
請求項１に記載の無線通信装置。
【請求項９】
実際のリソースとして割り当てる割当リソースブロック数を「２ｎ×３ｍ×５ｌ」（ｎ，ｍ，ｌは０以上の整数）のいずれかで表現できるリソースブロック数とし、リソースを割り当てるか否かを決定するスケジューリング手段と、
システム帯域が複数に分割されたグループのうち、前記実際のリソースに対応するグループの情報を、リソース割当情報として送信する送信手段と、
を具備する無線通信装置。
【請求項１０】
システム帯域が複数に分割されたグループごとに、リソースが割り当てられたか否かを示すリソース割当情報を受信し、
前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定し、
前記リソース割当情報、及び、前記割当リソースブロック数から、実際の送信帯域に用いられる割当リソースブロックを選択する、
無線通信方法。
【請求項１１】
実際のリソースとして割り当てる割当リソースブロック数を「２ｎ×３ｍ×５ｌ」（ｎ，ｍ，ｌは０以上の整数）のいずれかで表現できるリソースブロック数とし、リソースを割り当てるか否かを決定し、
システム帯域が複数に分割されたグループのうち、前記実際のリソースに対応するグループの情報を、リソース割当情報として送信する、
る無線通信方法。
【手続補正書】
【提出日】平成23年7月11日(2011.7.11)
【手続補正１】
【補正対象書類名】明細書
【補正対象項目名】全文
【補正方法】変更
【補正の内容】
【発明の詳細な説明】
【技術分野】
【０００１】
本発明は、データ信号を非連続帯域割り当てる無線通信システムにおける無線通信装置及び無線通信方法に関する。
【背景技術】
【０００２】
３ＧＰＰ  ＬＴＥ（3rd Generation Partnership Project Long Term Evolution）上り回線では、データ信号の連続帯域割当のみがサポートされている。さらに、ＬＴＥ上り回線では、ＤＦＴ（Discrete Fourier Transform：離散フーリエ変換）回路の規模を軽減するために、割当可能なＲＢ（Resource Block）数が「２ｎ×３ｍ×５ｌ」（ｎ，ｍ，ｌは、０以上の整数）で表現できるＲＢ数のみに制限されている（非特許文献１参照）。
【０００３】
一方、ＬＴＥ−Ａ（LTE-Advanced）上り回線では周波数スケジューリング効果を高めるために、データ信号の非連続帯域割当のサポートが検討されている（図１参照）。非連続割当は、ＬＴＥ下り回線では既に適用されており、ＬＴＥ下り回線では、非連続割当時のＲＢ割当通知をビットマップで通知するＴｙｐｅ０割当が用いられている（非特許文献２）。Ｔｙｐｅ０割当では、ＲＢ割当通知のシグナリング量を抑えることができるため、ＬＴＥ−Ａ上り回線でも、非連続割当時のＲＢ割当通知にＴｙｐｅ０割当を流用することが有力である。
【０００４】
図２を用いて、Ｔｙｐｅ０割当について説明する。Ｔｙｐｅ０割当では、Ｐ個の連続するＲＢを１つのＲＢグループ（ＲＢＧ：Resource Block Group）とし、ＲＢＧ単位でリソースを割り当てるか否か示すシグナリングビット（１又は０）を立て、これらシグナリングビットから構成されるビットマップを通知する。端末装置（以下「端末」と略記する）は、ビットマップにおいて、シグナリングビットが１のＲＢＧ内のＰ（ＲＢ）のリソースは送信帯域として割り当てられ、シグナリングビットが０のＲＢＧ内のＰ（ＲＢ）のリソースは送信帯域として割り当てられないと判断する。なお、ＬＴＥ下り回線では、システム帯域幅ごとにＲＢＧサイズ（Ｐ）が異なっている（表１参照）。
【表１】
2010106783.tif 000027
【先行技術文献】
【非特許文献】
【０００５】
【非特許文献１】TS36.211 v8.5.0“3GPP TSG RAN; Evolved Universal Terrestrial Radio Access(E-UTRA); Physical Channel and Modulation
【非特許文献２】7.1.6 TS36.213 v8.4.0“3GPP TSG RAN; Evolved Universal Terrestrial Radio Access(E-UTRA); Physical layer procedures
【発明の概要】
【発明が解決しようとする課題】
【０００６】
しかしながら、Ｔｙｐｅ０割当を用いる場合、端末に割り当てられるＲＢ数はＰ（ＲＢ）の倍数のＲＢ数に制限されてしまう。さらに、ＬＴＥ上り回線と同様に、ＬＴＥ−Ａ上り回線においても、「２ｎ×３ｍ×５ｌ」で表現できるＲＢ数のみが送信帯域に割当可能なＲＢ数として適用されるようにすると、「２ｎ×３ｍ×５ｌ」で表現できないＲＢ数は、実際には送信帯域に割り当てられないＲＢ数となってしまう。
【０００７】
図３は、Ｔｙｐｅ０割当におけるＰ＝４の場合の例である。図３に示すＰ（ＲＢ）の倍数のうち、丸印が付されたＲＢ数は、「２ｎ×３ｍ×５ｌ」で表現できるＲＢ数を示し、×印が付されたＲＢ数は、「２ｎ×３ｍ×５ｌ」で表現できないＲＢ数を示している。このように、「２ｎ×３ｍ×５ｌ」で表現できないＲＢ数を、実際には送信帯域に割り当てることができないＲＢ数とすると、割り当てることができないＲＢ数が多くなり、柔軟なリソース割当が困難となるため、周波数スケジューリング効果が低下してしまう。
【０００８】
一方、「２ｎ×３ｍ×５ｌ」で表現できないＲＢ数であっても、割当可能なＲＢ数とすると、ＤＦＴ回路の回路規模が大きくなってしまう。
【０００９】
本発明の目的は、ＤＦＴ回路規模を増加させずに、柔軟な周波数スケジューリングを行うことができる無線通信装置及び無線通信方法を提供することである。
【課題を解決するための手段】
【００１０】
本発明の無線通信装置は、システム帯域が複数に分割されたグループごとに、リソースが割り当てられたか否かを示すリソース割当情報を受信する受信手段と、前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定する設定手段と、前記リソース割当情報、及び、前記割当リソースブロック数から、実際の送信帯域に用いられる割当リソースブロックを選択する選択手段と、を具備する構成を採る。
【００１１】
本発明の無線通信装置は、実際のリソースとして割り当てる割当リソースブロック数を「２ｎ×３ｍ×５ｌ」（ｎ，ｍ，ｌは０以上の整数）のいずれかで表現できるリソースブロック数とし、リソースを割り当てるか否かを決定するスケジューリング手段と、システム帯域が複数に分割されたグループのうち、前記実際のリソースに対応するグループの情報を、リソース割当情報として送信する送信手段と、を具備する構成を採る。
【００１２】
本発明の無線通信方法は、システム帯域が複数に分割されたグループごとに、リソースが割り当てられたか否かを示すリソース割当情報を受信し、前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定し、前記リソース割当情報、及び、前記割当リソースブロック数から、実際の送信帯域に用いられる割当リソースブロックを選択するようにした。
【発明の効果】
【００１３】
本発明によれば、ＤＦＴ回路規模を増加させずに、柔軟な周波数スケジューリングを行うことができる。
【図面の簡単な説明】
【００１４】
【図１】ＬＴＥ−Ａ上り回線におけるデータ信号の非連続帯域割当を説明するための図
【図２】ＬＴＥ−Ａ下り回線におけるＴｙｐｅ０割当を説明するための図
【図３】ＤＦＴ回路を用いる場合に割当不可となるＲＢ数を説明するための図
【図４】本発明の一実施の形態に係る基地局の構成を示すブロック図
【図５】上記実施の形態に係る端末の構成を示すブロック図
【図６】通知ＲＢ数と割当ＲＢ数との［対応例＃１−１］を示す図
【図７】通知ＲＢ数と割当ＲＢ数との［対応例＃１−２］を示す図
【図８】通知ＲＢ数と割当ＲＢ数との［対応例＃１−３］を示す図
【図９】通知ＲＢ数と割当ＲＢ数との［対応例＃１−４］を示す図
【図１０】通知ＲＢ数と割当ＲＢ数との［対応例＃２］を示す図
【図１１Ａ】割当ＲＢの［選択例＃１］を示す図
【図１１Ｂ】割当ＲＢの［選択例＃１］の別の例を示す図
【図１１Ｃ】割当ＲＢの［選択例＃１］の別の例を示す図
【図１２】割当ＲＢの［選択例＃２］を示す図
【図１３Ａ】割当ＲＢの［選択例＃３］を示す図
【図１３Ｂ】割当ＲＢの［選択例＃３］の別の例を示す図
【図１３Ｃ】割当ＲＢの［選択例＃３］の別の例を示す図
【図１３Ｄ】割当ＲＢの［選択例＃３］の別の例を示す図
【図１４】割当ＲＢの［選択例＃４］を示す図
【図１５】割当ＲＢの［選択例＃５］を示す図
【図１６】割当ＲＢの［選択例＃６］を示す図
【図１７】割当ＲＢの［選択例＃７］を示す図
【図１８】割当ＲＢの［選択例＃７］の別の例を示す図
【発明を実施するための形態】
【００１５】
以下、本発明の実施の形態について、図面を参照して詳細に説明する。
【００１６】
（実施の形態）
本発明の実施の形態に係る基地局装置（以下「基地局」と略記する）１００の構成について、図４を用いて説明する。
【００１７】
符号化部１０１は、送信データ（下り回線データ）、誤り検出部１１７から入力される応答信号（ＡＣＫ（Acknowledgment）信号又はＮＡＣＫ（Negative Acknowledgment）信号）、スケジューリング部１１０から入力される各端末のリソース割当情報、及びＭＣＳ（Modulation Coding Schemes）等の制御情報を入力とし、これら入力データを符号化し、符号化データを変調部１０２に出力する。
【００１８】
変調部１０２は、符号化データを変調し、変調信号を送信ＲＦ（Radio Frequency）部１０３に出力する。
【００１９】
送信ＲＦ部１０３は、変調信号にＤ／Ａ（Digital to Analog）変換、アップコンバート、増幅等の送信処理を施し、送信処理を施した信号をアンテナ１０４から各端末へ無線送信する。
【００２０】
受信ＲＦ部１０５は、アンテナ１０４を介して受信した信号にダウンコンバート、Ａ／Ｄ（Analog to Digital）変換等の受信処理を施し、受信処理を施した信号を分離部１０６に出力する。
【００２１】
分離部１０６は、受信ＲＦ部１０５から入力される信号をパイロット信号とデータ信号と制御信号とに分離する。分離部１０６は、分離後のパイロット信号をＤＦＴ（Discrete Fourier Transform）部１０７に出力し、データ信号及び制御信号をＤＦＴ部１１１に出力する。
【００２２】
ＤＦＴ部１０７は、分離部１０６から入力されるパイロット信号にＤＦＴ処理を施し、時間領域から周波数領域の信号に変換し、周波数領域に変換したパイロット信号をデマッピング部１０８に出力する。なお、ＤＦＴ部１０７は、ＦＦＴ（Fast Fourier Transform）処理を行うＦＦＴ部と置き換えてもよい。
【００２３】
デマッピング部１０８は、ＤＦＴ部１０７から入力される周波数領域のパイロット信号から各端末の送信帯域に対応した部分のパイロット信号を抽出する。そして、デマッピング部１０８は、抽出した各パイロット信号を伝搬路推定部１０９に出力する。
【００２４】
伝搬路推定部１０９は、デマッピング部１０８から入力されるパイロット信号に基づいて、チャネルの周波数変動（チャネルの周波数応答）の推定値及び受信品質の推定値を推定する。伝搬路推定部１０９は、チャネルの周波数変動の推定値を周波数領域等化部１１３に出力し、受信品質の推定値をスケジューリング部１１０に出力する。
【００２５】
スケジューリング部１１０は、伝搬路推定部１０９から入力される受信品質の推定値を用いて各端末にリソースブロック（Resource Block：ＲＢ）を割り当てる。以降、各端末に割り当てられたリソースブロック、すなわち、各端末が実際の送信帯域に用いるリソースブロックを、以降、「割当リソースブロック（割当ＲＢ）」と呼ぶ。なお、スケジューリング部１１０は、割当ＲＢの数（割当ＲＢ数）が、「２ｎ×３ｍ×５ｌ」（ｎ，ｍ，ｌは０以上の整数）で表現できる数となるように、割当ＲＢを設定する。これにより、各端末は、入力数が「２ｎ×３ｍ×５ｌ」のＤＦＴ処理を行えるようになるので、ＤＦＴ回路規模を軽減することができる。なお、スケジューリング部１１０における割当ＲＢの設定方法については、後述する。スケジューリング部１１０は、各端末の割当ＲＢの情報を、デマッピング部１０８及びデマッピング部１１２に出力する。
【００２６】
また、スケジューリング部１１０は、割当ＲＢの情報を示すリソース割当情報を含む制御情報を生成し、生成した制御情報を符号化部１０１に出力する。例えば、スケジューリング部１１０は、割当ＲＢを含むＲＢＧに、ＲＢＧが送信帯域に割り当てられたか否かを示すシグナリングビット（１又は０）を立てたビットマップを、リソース割当情報として生成する。以降、リソース割当情報により通知される、送信帯域として割り当てられたリソースブロックを「通知リソースブロック（通知ＲＢ）」と呼ぶ。なお、スケジューリング部１１０における通知ＲＢの設定方法については、後述する。スケジューリング部１１０は、生成したリソース割当情報を符号化部１０１に出力する。
【００２７】
ＤＦＴ部１１１は、分離部１０６から入力されるデータ信号にＤＦＴ処理を施し、時間領域から周波数領域の信号に変換する。そして、ＤＦＴ部１１１は、周波数領域に変換したデータ信号をデマッピング部１１２に出力する。なお、ＤＦＴ部１１１は、ＦＦＴ（Fast Fourier Transform）処理を行うＦＦＴ部と置き換えてもよい。
【００２８】
デマッピング部１１２は、ＤＦＴ部１１１から入力される信号から各端末の送信帯域に対応した部分のデータ信号を抽出する。そして、デマッピング部１１２は、抽出した各信号を周波数領域等化部１１３に出力する。
【００２９】
周波数領域等化部１１３は、伝搬路推定部１０９から入力されるチャネルの周波数変動の推定値を用いて、デマッピング部１１２から入力されるデータ信号及び制御信号に等化処理を施し、等化処理後の信号をＩＦＦＴ（Inverse Fast Fourier Transform）部１１４に出力する。
【００３０】
ＩＦＦＴ部１１４は、周波数領域等化部１１３から入力されるデータ信号にＩＦＦＴ処理を施し、ＩＦＦＴ処理後の信号を復調部１１５に出力する。なお、ＩＦＦＴ部１１４は、ＩＤＦＴ（Inverse Discrete Fourier Transform）処理を行うＩＤＦＴ部と置き換えてもよい。
【００３１】
復調部１１５は、ＩＦＦＴ部１１４から入力される信号に復調処理を施し、復調処理後の信号を復号部１１６に出力する。
【００３２】
復号部１１６は、復調部１１５から入力される信号に復号処理を施し、復号処理後の信号（復号ビット列）を誤り検出部１１７に出力する。
【００３３】
誤り検出部１１７は、復号部１１６から入力される復号ビット列に対して、例えば、ＣＲＣ（Cyclic Redundancy Check）を用いて誤り検出を行う。誤り検出部１１７は、誤り検出の結果、復号ビットに誤りが有る場合には応答信号としてＮＡＣＫ信号を生成し、復号ビットに誤りが無い場合には応答信号としてＡＣＫ信号を生成し、生成した応答信号を符号化部１０１に出力する。また、誤り検出部１１７は、復号ビットに誤りが無い場合は、データ信号を受信データとして出力する。また、誤り検出部１１７は、制御信号に含まれるＭＣＳ等の情報を符号化部１０１に出力する。
【００３４】
次に、本発明の実施の形態に係る端末２００の構成について、図５を用いて説明する。
【００３５】
受信ＲＦ部２０２は、アンテナ２０１を介して受信した基地局からの信号にダウンコンバート、Ａ／Ｄ変換等の受信処理を施し、受信処理を施した信号を復調部２０３に出力する。
【００３６】
復調部２０３は、受信ＲＦ部２０２から入力される信号に等化処理及び復調処理を施し、これら処理後の信号を復号部２０４に出力する。
【００３７】
復号部２０４は、復調部２０３から入力される信号に復号処理を施し、受信データ及び制御情報を抽出する。ここで、制御情報には、応答信号（ＡＣＫ信号又はＮＡＣＫ信号）、リソース割当情報、ＭＣＳ情報等が含まれる。復号部２０４は、抽出した制御情報のうち、リソース割当情報を割当ＲＢ数設定部２０８及び割当ＲＢ選択部２０９に出力し、ＭＣＳ情報等を符号化部２０６及び変調部２０７に出力する。
【００３８】
ＣＲＣ部２０５は、送信データを入力とし、送信データに対してＣＲＣ符号化を行ってＣＲＣ符号化データを生成し、生成したＣＲＣ符号化データを符号化部２０６に出力する。
【００３９】
符号化部２０６は、復号部２０４から入力される制御情報に基づいて、ＣＲＣ部２０５から入力されるＣＲＣ符号化データを符号化し、得られた符号化データを変調部２０７に出力する。
【００４０】
変調部２０７は、復号部２０４から入力される制御情報に基づいて、符号化部２０６から入力される符号化データを変調し、変調後のデータ信号をＲＢ割当部２１０に出力する。
【００４１】
割当ＲＢ数設定部２０８は、復号部２０４から入力されるリソース割当情報から、実際に送信帯域に用いられるＲＢ数（以下「割当ＲＢ数」という）を設定する。リソース割当情報が示すＲＢ数（通知ＲＢ数）が「２ｎ×３ｍ×５ｌ」で表現できるＲＢ数である場合はそのＲＢ数を割当ＲＢ数とし、リソース割当情報が示すＲＢ数（通知ＲＢ数）が「２ｎ×３ｍ×５ｌ」で表現できないＲＢ数である場合は規定の設定方法に基づいて割当ＲＢ数を決定する。割当ＲＢ数の設定方法については、後述する。割当ＲＢ数設定部２０８は、設定した割当ＲＢ数の情報を割当ＲＢ選択部２０９に出力する。
【００４２】
割当ＲＢ選択部２０９は、復号部２０４から入力されるリソース割当情報、及び、割当ＲＢ数設定部２０８から入力される割当ＲＢ数から、実際の送信帯域に用いられる割当ＲＢを選択する。リソース割当情報が示すＲＢ数（通知ＲＢ数）が「２ｎ×３ｍ×５ｌ」で表現できるＲＢ数である場合はそのＲＢを割当ＲＢとし、リソース割当情報が示すＲＢ数（通知ＲＢ数）が「２ｎ×３ｍ×５ｌ」で表現できないＲＢ数である場合は規定の選択方法に基づいて割当ＲＢを決定する。割当ＲＢの選択方法については、後述する。割当ＲＢ選択部２０９は、選択した割当ＲＢの情報（割当ＲＢ情報）をＲＢ割当部２１０に出力する。
【００４３】
ＲＢ割当部２１０は、変調部２０７から入力されるデータ信号にＤＦＴ処理を施し、時間領域から周波数領域の信号に変換する。なお、本実施の形態では、ＲＢ割当部２１０は、変調部２０７から入力されるデータ信号の入力数が「２ｎ×３ｍ×５ｌ」として、ＤＦＴ処理を行う。そして、割当ＲＢ選択部２０９から入力される割当ＲＢ情報に基づいて、ＤＦＴ処理後の信号をＲＢに割り当て、ＲＢに割り当てられたデータ信号にＩＦＦＴ処理を施し、多重化部２１１に出力する。
【００４４】
多重化部２１１は、パイロット信号とＲＢ割当部２１０から入力されるデータ信号とを時間多重し、送信ＲＦ部２１２に出力する。
【００４５】
送信ＲＦ部２１２は、多重化部２１１から入力される多重信号にＤ／Ａ変換、アップコンバート、増幅等の送信処理を施し、送信処理を施した信号をアンテナから基地局へ無線送信する。
【００４６】
次に、割当ＲＢ数設定部２０８における割当ＲＢ数の設定方法、及び、割当ＲＢ選択部２０９における割当ＲＢの選択方法について説明する。
【００４７】
以下では、例えば、Ｔｙｐｅ０割当のように、システム帯域が複数に分割されたグループごとに、自局が送信を行うためのリソースが割り当てられたか否かを示すシグナリングビット（１又は０）を用いて通知するリソース割当情報を例に説明する。Ｔｙｐｅ０割当では、Ｐ個の連続するＲＢのグループ（ＲＢＧ）単位で、リソースを割り当てるか否かが通知される。したがって、Ｔｙｐｅ０割当では、ビットマップにおいて、シグナリングビットが１のＲＢＧ、すなわち、送信帯域に割り当てられたＲＢＧに含まれるＲＢの合計数（以下「通知ＲＢ数」）は、Ｐの倍数となる。そのため、通知ＲＢ数が「２ｎ×３ｍ×５ｌ」で表現できるＲＢ数でない場合、端末２００は、リソース割当情報から、割当ＲＢ数を設定し、割当ＲＢを選択する必要がある。
【００４８】
始めに、割当ＲＢ数設定部２０８における割当ＲＢ数の設定方法について説明する。本実施の形態では、通知ＲＢ数と割当ＲＢ数との対応表を基地局１００と端末２００とで共有する。
【００４９】
以下、通知ＲＢ数と割当ＲＢ数との対応例について説明する。
【００５０】
割当ＲＢ数設定部２０８は、通知ＲＢ数が「２ｎ×３ｍ×５ｌ」で表現できるＲＢ数でない場合、通知ＲＢ数に対応する割当ＲＢ数を「２ｎ×３ｍ×５ｌ」のいずれかで表現できるＲＢ数に設定する。
【００５１】
［対応例＃１−１］
割当ＲＢ数設定部２０８は、割当ＲＢ数を、通知ＲＢ数に最も近い「２ｎ×３ｍ×５ｌ」で表現できるＲＢ数に設定する。これにより、Ｐ（ＲＢ）単位の分解度の割当に近い割当が可能となり、周波数スケジューリング効果を高めることができる。
【００５２】
図６は、［対応例＃１−１］における通知ＲＢ数と割当ＲＢ数との対応表を示す。一例として、リソース割当情報がＰ＝４のＴｙｐｅ０割当で通知される場合に、リソース割当情報として、ビットマップ「111111100000000000000000000000」が通知される場合を考える。なお、Ｐ＝４の場合、ビットマップにおける「1」又は「0」の各ビットは、４個のＲＢから構成される各ＲＢＧに対応する（以下の他の対応例についても同様とする）。したがって、ビットマップ「111111100000000000000000000000」が通知された場合、通知ＲＢ数が「２８」（＝Ｐ×７＝４×７）であることを示す。しかし、「２８」は、「２ｎ×３ｍ×５ｌ」で表現できるＲＢ数ではない。そこで、リソース割当情報として、例えばビットマップ「111111100000000000000000000000」が通知された場合、［対応例＃１−１］では、「２ｎ×３ｍ×５ｌ」で表現できるＲＢ数のうち「２８」に最も近い「２７」を、当該ビットマップで通知された場合の割当ＲＢ数として設定する。
【００５３】
［対応例＃１−２］
割当ＲＢ数設定部２０８は、通知ＲＢ数よりも大きい「２ｎ×３ｍ×５ｌ」で表されるＲＢ数のうち、最小のＲＢ数を割当ＲＢ数に設定する。これにより、後述するリソース割当処理が比較的容易となる。また、各クラスタの帯域幅を広くすることができるので、チャネル推定精度を改善することができる。なお、クラスタとは、連続するＲＢＧにより構成される連続帯域である。
【００５４】
図７は、［対応例＃１−２］における通知ＲＢ数と割当ＲＢ数との対応表を示す。リソース割当情報として、例えばビットマップ「111111100000000000000000000000」が通知された場合、通知ＲＢ数が「２８」であることを示す。しかし、「２８」は、「２ｎ×３ｍ×５ｌ」で表現できるＲＢ数ではない。そこで、リソース割当情報としてビットマップ「111111100000000000000000000000」が通知された場合、［対応例＃１−２］では、「２８」より大きい「２ｎ×３ｍ×５ｌ」で表現できるＲＢ数のうち、最小の「３０」を、当該ビットマップで通知された場合の割当ＲＢ数とする。
【００５５】
［対応例＃１−３］
割当ＲＢ数設定部２０８は、通知ＲＢ数よりも小さい「２ｎ×３ｍ×５ｌ」で表されるＲＢ数のうち、最大のＲＢ数を割当ＲＢ数に設定する。これにより、後述するリソース割当処理が比較的容易となる。また、Ｔｙｐｅ０割当において、同一のＲＢＧが複数の端末に割り当てられなければ、端末間で同一のＲＢが用いられることがないので、周波数スケジューリングが容易となる。
【００５６】
図８は、［対応例＃１−３］における通知ＲＢ数と割当ＲＢ数との対応表を示す。リソース割当情報として、例えばビットマップ「111111100000000000000000000000」が通知された場合、通知ＲＢ数が「２８」であることを示す。しかし、「２８」は、「２ｎ×３ｍ×５ｌ」で表現できるＲＢ数ではない。そこで、リソース割当情報としてビットマップ「111111100000000000000000000000」が通知された場合、［対応例＃１−３］では、「２８」より小さい「２ｎ×３ｍ×５ｌ」で表現できるＲＢ数のうち、最小の「２７」を、当該ビットマップで通知された場合の割当ＲＢ数とする。
【００５７】
［対応例＃１−４］
割当ＲＢ数設定部２０８は、通知ＲＢ数、又は、シグナリングに応じて、［対応例＃１−２］と［対応例＃１−３］とを切り替える。
【００５８】
図９は、通知ＲＢ数に応じて、［対応例＃１−２］と［対応例＃１−３］とを切り替える場合の通知ＲＢ数と割当ＲＢ数との対応表を示す。図９に示す［対応例＃１−４］では、リソース割当情報として、通知ＲＢ数「２８」、「４４」、「６８」、「８８」、「９２」、「１０４」、「１１２」及び「１１６」が通知された場合、割当ＲＢ数設定部２０８は、［対応例＃１−２］に従い、通知ＲＢ数よりも大きい「２ｎ×３ｍ×５ｌ」で表されるＲＢ数のうち、最小のＲＢ数を割当ＲＢ数に設定する。また、リソース割当情報として、通知ＲＢ数「５２」、「５６」、「７６」、及び「８４」が通知された場合、割当ＲＢ数設定部２０８は、［対応例＃１−３］に従い、通知ＲＢ数よりも小さい「２ｎ×３ｍ×５ｌ」で表されるＲＢ数のうち、最大のＲＢ数を割当ＲＢ数に設定する。これにより、図９の［対応例＃１−４］では、図７の［対応例＃１−２］において割当ＲＢ数として選択できるＲＢ数に加え、さらに「５０」及び「８１」を選択することができるようになる。このようにして、通知ＲＢ数に応じて、［対応例＃１−２］と［対応例＃１−３］とを切り替えることにより、割当ＲＢ数として選択できるＲＢ数を増やすことができるため、リソース割当の柔軟性を高めることができる。なお、例えば、前後の割当ＲＢ数と同じ割当ＲＢ数になる確率を減らすように図７と図８とを切り替えるように設定してもよい。
【００５９】
また、割当ＲＢ数設定部２０８は、例えば、基地局１００から通知される制御情報に含まれる切り替え指示信号（例えば図７の［対応例＃１−２］か図８の［対応例＃１−３］かを示す１ビット）等のシグナリングに応じて、［対応例＃１−２］と［対応例＃１−３］とを切り替える。
【００６０】
［対応例＃２］
上述の［対応例＃１−１］〜［対応例＃１−４］では、通知ＲＢ数が「２ｎ×３ｍ×５ｌ」で表現できるＲＢ数でない場合、割当ＲＢ数が通知ＲＢ数に比較的近いＲＢ数に設定される。一方、［対応例＃２］では、ビットマップに対応する通知ＲＢ数が「２ｎ×３ｍ×５ｌ」で表現できるＲＢ数でない場合、当該ビットマップを他の「２ｎ×３ｍ×５ｌ」で表現できるＲＢ数に対応付ける。
【００６１】
図１０は、［対応例＃２］における通知ＲＢ数と割当ＲＢ数との対応表を示す。リソース割当情報がＴｙｐｅ０割当で通知される場合に、リソース割当情報として、例えばビットマップ「111111100000000000000000000000」が通知された場合、通知ＲＢ数が「２８」であることを示す。しかし、「２８」は、「２ｎ×３ｍ×５ｌ」で表現できるＲＢ数ではない。そこで、リソース割当情報として、例えばビットマット「111111100000000000000000000000」が通知された場合、［対応例＃２］では、割当ＲＢ数設定部２０８は、当該ビットマップで通知された場合の割当ＲＢ数を、「２ｎ×３ｍ×５ｌ」で表現できるＲＢ数のうち「２」に設定する。
【００６２】
なお、図１０は、Ｔｙｐｅ０割当の場合において、１ＲＢＧが４ＲＢから構成される場合に、「２ｎ×３ｍ×５ｌ」で表現できない通知ＲＢ数に、「２ｎ×３ｍ×５ｌ」で表現できるＲＢ数を小さい順に対応付けた例である。ただし、「２ｎ×３ｍ×５ｌ」で表現できるＲＢ数のうち、Ｐ（ＲＢ）の倍数の場合には、通知ＲＢ数をそのまま割当ＲＢ数とすれば良いので、図１０は、「２ｎ×３ｍ×５ｌ」で表現できない通知ＲＢ数に、「２ｎ×３ｍ×５ｌ」で表現できるＲＢ数のうち、４の倍数を除いたＲＢ数を小さい順に対応付けた例である。
【００６３】
以上、割当ＲＢ数設定部２０８における割当ＲＢ数の設定方法について説明した。
【００６４】
次に、割当ＲＢ選択部２０９における割当ＲＢの選択方法について説明する。
【００６５】
割当ＲＢ選択部２０９は、通知ＲＢ及び割当ＲＢ数に応じて、実際の送信帯域に用いるＲＢ（割当ＲＢ）を選択する。具体的には、通知ＲＢ数が割当ＲＢ数より大きい場合、割当ＲＢ選択部２０９は、通知ＲＢから、割当ＲＢを選択する。又は、割当ＲＢ選択部２０９は、通知ＲＢから実際の送信帯域に用いられないＲＢ（利用しないＲＢ）を選択し、通知ＲＢのうち利用しないＲＢ以外のＲＢを、割当ＲＢとする。また、通知ＲＢ数が割当ＲＢ数より小さい場合には、割当ＲＢ選択部２０９は、通知ＲＢを割当ＲＢとし、さらに割当ＲＢとして追加するＲＢ（追加ＲＢ）を選択する。
【００６６】
割当ＲＢ（追加ＲＢ又は利用しないＲＢ）の選択方法を、端末２００の割当ＲＢ選択部２０９と、基地局１００のスケジューリング部１１０との間で取り決めておけば、端末２００は、通知ＲＢ及び割当ＲＢ数から、スケジューリング部１１０によって割り当てられた割当ＲＢを容易に把握することができる。
【００６７】
［選択例＃１］
割当ＲＢ選択部２０９は、通知ＲＢのうち、低周波数側（又は高周波数側）のＲＢから順に、割当ＲＢ数分を割当ＲＢとして選択する。換言すると、割当ＲＢ選択部２０９は、通知ＲＢのうち、高周波数側（又は低周波数側）のＲＢから順に、（通知ＲＢ数−割当ＲＢ数）分のＲＢを利用しないＲＢとして選択する。
【００６８】
図１１Ａは、［対応例＃１−１］又は［対応例＃１−３］のように、通知ＲＢ数が「５２」であり、割当ＲＢ数が「５０」に設定された場合の例である。図１１Ａに示す例では、割当ＲＢ選択部２０９は、通知ＲＢの高周波数側のＲＢから順に、利用しないＲＢを２（５２−５０）個選択した例である。
【００６９】
図１１Ｂは、［対応例＃１−１］又は［対応例＃１−３］のように、通知ＲＢ数が「８４」であり、割当ＲＢ数が「８１」に設定された場合の例である。図１１Ｂに示す例では、割当ＲＢ選択部２０９は、通知ＲＢの高周波数側のＲＢから順に、利用しないＲＢを３（８４−８１）個選択した例である。
【００７０】
図１１Ｃは、［対応例＃２］のように、通知ＲＢ数が「２８」であり、割当ＲＢ数が「２」に設定された場合の例である。図１１Ｃに示す例では、割当ＲＢ選択部２０９は、通知ＲＢの低周波数側のＲＢから順に、割当ＲＢを２個選択した例である。
【００７１】
このようにして、割当ＲＢを低周波数側（又は高周波数側）のＲＢから順に通知ＲＢの端から割当ＲＢ数分だけ選択することにより、送信帯域に用いられないＲＢを高周波数側（又は低周波数側）の端に連続して確保することできるため、広い送信帯域幅の他局の端末を配置しやすくなる。
【００７２】
なお、割当ＲＢ選択部２０９は、通知ＲＢのうち、高周波数側のＲＢ及び低周波数側のＲＢの双方から利用しないＲＢを選択し、（通知ＲＢ数−割当ＲＢ数）分のＲＢを利用しないＲＢとしてもよい。
【００７３】
［選択例＃２］
上記［選択例＃１］では、割当ＲＢ選択部２０９は、通知ＲＢのうち、低周波数側（又は高周波数側）のＲＢから順に、割当ＲＢ数分を割当ＲＢとして選択した。［選択例＃２］では、通知ＲＢが複数のクラスタにより構成される場合に、割当ＲＢ選択部２０９は、各クラスタの低周波数側のＲＢから順に割当ＲＢを選択する。
【００７４】
図１２は、［対応例＃２］のように、通知ＲＢ数が「２８」であり、割当ＲＢ数が「２」に設定された場合の例である。図１２に示す例では、割当ＲＢ選択部２０９は、各クラスタの最も低周波数側のＲＢを、割当ＲＢとして２個選択した例である。このようにして、通知ＲＢが複数のクラスタにより構成される場合、割当ＲＢ選択部２０９が、各クラスタの低周波数側のＲＢから順に割当ＲＢを選択することにより、割当ＲＢを非連続配置にすることができるため、周波数ダイバーシチ効果を向上させることができる。
【００７５】
［選択例＃３］
通知ＲＢが、複数のクラスタにより構成される場合に、割当ＲＢ選択部２０９は、クラスタの端（低周波数側又は高周波数側）のＲＢから連続して、利用しないＲＢを選択する。
【００７６】
図１３Ａは、［対応例＃１−１］又は［対応例＃１−３］のように、通知ＲＢ数が「５２」であり、割当ＲＢ数が「５０」に設定された場合の例である。図１３Ａは、通知ＲＢが、３つのクラスタ＃１、クラスタ＃２及びクラスタ＃３から構成される例であり、割当ＲＢ選択部２０９は、３つのクラスタのうち、クラスタ＃２の高周波数側の端から、利用しないＲＢを選択した例である。これにより、利用しないＲＢとして、クラスタ＃２の高周波数側の端に２個のＲＢが連続して確保される。
【００７７】
また、図１３Ｂは、［対応例＃１−１］又は［対応例＃１−３］のように、通知ＲＢ数が「８４」であり、割当ＲＢ数が「８１」に設定された場合の例である。図１３Ｂも、通知ＲＢが、３つのクラスタ＃１、クラスタ＃２及びクラスタ＃３から構成される例であり、割当ＲＢ選択部２０９は、３つのクラスタのうち、クラスタ＃２の高周波数側から、利用しないＲＢを選択した例である。これにより、利用しないＲＢとして、クラスタ＃２の高周波数側に３個のＲＢが連続して確保される。
【００７８】
図１３Ａ及び図１３Ｂに示すように、利用しないＲＢがある場合に、利用しないＲＢをクラスタの端（低周波数側又は高周波数側）に連続して確保することにより、利用しないＲＢを連続帯域にすることができるため、他局の広い送信帯域幅の端末を割当しやすくなる。
【００７９】
また、図１３Ｃに示すように、割当ＲＢ選択部２０９は、利用しないＲＢを、Ｔｙｐｅ０割当のビットマップでシグナリングビット０（割り当てない）が最も連続する領域に隣接するクラスタから選択するようにしてもよい。これにより、利用されない帯域幅を最も広くすることができ、他局の広い送信帯域幅の端末を割当しやすくなる。なお、複数のクラスタのうち、低周波数側又は高周波数側のクラスタに含まれるＲＢは、割当ＲＢとし、低周波数側又は高周波数側のクラスタからは、利用しないＲＢを選択しないようにしてもよい。これにより、システム帯域幅と実際の送信帯域幅との間に差が生じないようすることができる。
【００８０】
また、図１３Ｄに示すように、割当ＲＢ選択部２０９は、利用しないＲＢを、Ｔｙｐｅ０割当のビットマップでシグナリングビット１（割り当てる）が最も連続するクラスタから選択するようにしてもよい。これにより、各クラスタは広い送信帯域幅を確保することができるため、チャネル推定精度の低下を抑えることができる。なお、このとき、利用しないＲＢを、シグナリングビット１（割り当てる）が最も連続するクラスタの端から選択するようにすることにより、利用されない帯域幅を最も広くすることができるので、他局の広い送信帯域幅の端末を割当しやすくなる。
【００８１】
［選択例＃４］
割当ＲＢ選択部２０９は、利用しないＲＢが２ＲＢ以上存在する場合、これら利用しないＲＢを連続ＲＢとする。これにより、連続するＲＢが利用しないＲＢとなるため、他局の広い送信帯域幅の端末を割り当てやすい。図１４は、［選択例＃４］を示す例である。
【００８２】
［選択例＃５］
上記［選択例＃１］〜［選択例＃４］では、割当ＲＢ数が通知ＲＢ数より小さい場合の割当ＲＢの選択方法について説明した。［選択例＃５］では、割当ＲＢ数が通知ＲＢ数より大きい場合の割当ＲＢの選択方法について説明する。割当ＲＢ数が通知ＲＢ数より大きい場合、割当ＲＢ選択部２０９は、割当ＲＢとして通知ＲＢに追加するＲＢ（追加ＲＢ）を選択する。具体的には、割当ＲＢ選択部２０９は、Ｔｙｐｅ０割当のビットマップでシグナリングビット１（割り当てる）が通知されているＲＢに隣接するＲＢを追加ＲＢとして選択する。
【００８３】
図１５は、［選択例＃５］を示す例である。図１５に示すように、割当ＲＢ選択部２０９は、Ｔｙｐｅ０割当のビットマップでシグナリングビット１（割り当てる）が通知されているＲＢに隣接するＲＢを追加ＲＢとして選択する。これにより、連続するＲＢを送信帯域に割り当てることができるため、連続する広い送信帯域を確保することができ、チャネル推定精度を改善することができる。
【００８４】
なお、Ｔｙｐｅ０割当のビットマップでシグナリングビット１（割り当てる）が最も帯域幅が狭いクラスタの端に追加ＲＢを割り当ててもよい。これにより、短い帯域幅のクラスタが軽減されるため、パイロット信号の平均化処理効果が高まり、チャネル推定精度が改善される。
【００８５】
［選択例＃６］
［選択例＃６］では、通知ＲＢ数が異なるにも関わらず、割当ＲＢ数が同一になる場合の割当ＲＢの選択方法について説明する。上述の通知ＲＢ数と割当ＲＢ数との対応例では、通知ＲＢ数が異なるにも関わらず、割当ＲＢ数が同一になる場合がある。例えば、［対応例＃１−３］において、通知ＲＢ数が「８４」、「８８」のいずれの場合も、割当ＲＢ数は「８１」と同一になる。この場合に、［選択例＃１］で説明したように、低周波数側のクラスタのＲＢから利用しないＲＢを選択すると、通知ＲＢ数が「８４」、「８８」の場合いずれも、同一のＲＢが利用しないＲＢに選択されてしまう。そこで、通知ＲＢ数が異なるにも関わらず、割当ＲＢ数が同一になる場合の割当ＲＢは、利用しないＲＢとして異なるＲＢを選択するものとする。例えば、通知ＲＢ数が「８４」の場合には、割当ＲＢ選択部２０９は、クラスタの高周波数側のＲＢを利用しないＲＢとして選択し、通知ＲＢ数が「８８」の場合には、割当ＲＢ選択部２０９は、クラスタの低周波数側のＲＢを利用しないＲＢとして選択するようにする。
【００８６】
図１６は、［選択例＃６］を示す例である。このように、割当ＲＢ選択部２０９は、通知ＲＢ数が異なる場合には、割当ＲＢ数が同じであっても、利用しないＲＢが異なるＲＢとなるように選択することにより、通信ＲＢ数が異なる場合に、送信帯域を異なるＲＢ配置にすることができるため、同一のＲＢ割当の通知を避けることができ、必要のないシグナリングを軽減することができる。
【００８７】
［選択例＃７］
図１７及び図１８は、［選択例＃７］を示す例である。ＲＢＧ単位のリソース割当で通知された送信帯域幅の合計ＲＢ数（通知ＲＢ数）がＰ（ＲＢ）の倍数、かつ、「２ｎ×３ｍ×５ｌ」で表現できるＲＢ数でない場合、「２ｎ×３ｍ×５ｌ」で表現できるＲＢ数に対応する送信信号を生成し、その送信信号を周波数領域でCyclic Extension（図１７参照）又はTruncation（図１８参照）を用い、上記合計ＲＢ数を満たす送信信号に変換する。例えば、合計ＲＢ数が「２８」である場合、送信帯域幅２７ＲＢに対応する信号を生成し、ＤＦＴ処理で周波数スペクラムに変換した後、周波数スペクトラムの前半部分を後半部分に追加して２８ＲＢに一致させる。これにより、Ｐ（ＲＢ）の倍数、かつ、「２ｎ×３ｍ×５ｌ」で表現できないＲＢ数でもリソース割当できるため、周波数スケジューリング効果を改善できる。
【００８８】
以上、割当ＲＢ選択部２０９における割当ＲＢの選択方法について説明した。
【００８９】
次に、スケジューリング部１１０における割当ＲＢ及び通知ＲＢの設定方法について説明する。割当ＲＢ及び通知ＲＢの設定方法としては、２つの方法がある。以下、順に説明する。
【００９０】
［１］
スケジューリング部１１０は、伝搬路推定部１０９から入力される受信品質の推定値を用いて各端末の割当ＲＢを設定する。このとき、スケジューリング部１１０はＲＢＧ単位でリソースを割り当て、このＲＢ数が「２ｎ×３ｍ×５ｌ」（ｎ，ｍ，ｌは０以上の整数）で表現できない数である場合、送信帯域としてリソースを割り当てたＲＢＧ内の一部のＲＢを利用しないＲＢ、もしくは、送信帯域としてリソースを割り当てなかったＲＢＧ内の一部のＲＢを利用するＲＢとして、割当ＲＢ数が「２ｎ×３ｍ×５ｌ」（ｎ，ｍ，ｌは０以上の整数）で表現できる数になるように設定する。
【００９１】
利用しないＲＢもしくは追加するＲＢが存在しない場合、スケジューリング部１１０は、割当ＲＢ数と同一の数を通知ＲＢ数に設定するとともに、割当ＲＢに対応するリソース割当情報を生成する。一方、利用しないＲＢもしくは追加するＲＢが存在する場合、スケジューリング部１１０は、上述の通知ＲＢ数と割当ＲＢ数との対応例に基づいて割当ＲＢ数から通知ＲＢ数を設定するとともに、割当ＲＢに対応するリソース割当情報を生成する。これにより、非連続割当の場合においても、ＤＦＴ回路規模を増加させずに、柔軟な周波数スケジューリングを行うことができる。
【００９２】
例えば、スケジューリング部１１０が、［対応例＃２］及び［選択例＃１］に基づく場合に、割当ＲＢ数「２」の連続するＲＢを割当ＲＢに設定した場合を考える。この場合、スケジューリング部１１０は、［対応例＃２］に基づき、通知ＲＢ数を割当ＲＢ数「２」に対応する「２８」に設定する。また、スケジューリング部１１０は、［選択例＃１］に基づき、通知ＲＢを設定する。例えば、図１１Ｃに示すように、割当ＲＢが通知ＲＢの低周波数側のＲＢに順に配置されるような通知ＲＢを設定し、設定した通知ＲＢに対応するシグナリングビットで構成されるビットマップをリソース情報として生成する。
【００９３】
また、スケジューリング部１１０が、［対応例＃２］及び［選択例＃１］に基づく場合に、割当ＲＢ数「２」の不連続のＲＢを割当ＲＢに設定した場合を考える。この場合、スケジューリング部１１０は、［対応例＃２］に基づき、通知ＲＢ数を割当ＲＢ数「２」に対応する「２８」に設定する。また、スケジューリング部１１０は、［選択例＃１］に基づき、通知ＲＢを設定する。例えば、図１２に示すように、割当ＲＢが、クラスタの各クラスタの低周波数側のＲＢに配置されるような通知ＲＢを設定し、設定した通知ＲＢに対応するシグナリングビットで構成されるビットマップをリソース情報として生成する。
【００９４】
［２］
スケジューリング部１１０は、伝搬路推定部１０９から入力される受信品質の推定値を用いて、各端末に割り当てるＲＢ数を割当ＲＢ数として選択可能なＲＢ数から決定する。
【００９５】
そして、スケジューリング部１１０は、ＲＢＧ単位で上記割当ＲＢ数に対応するリソースを確保し、ここで確保したＲＢＧを示すリソース割当情報を生成する。これにより、確保されたＲＢＧに含まれるリソースブロックは、通知ＲＢとして各端末に通知される。なお、スケジューリング部１１０は、上述の通知ＲＢ数と割当ＲＢ数との対応例、及び、割当ＲＢの選択例に基づいて、送信帯域に用いるＲＢＧから利用しないＲＢもしくは追加するＲＢを決定する。これにより、スケジューリング部１１０は、割当ＲＢ数を「２ｎ×３ｍ×５ｌ」（ｎ，ｍ，ｌは０以上の整数）で表現できる数になるように設定することができるため、非連続割当の場合においても、ＤＦＴ回路規模を増加させずに、柔軟な周波数スケジューリングを行うことができる。
【００９６】
例えば、スケジューリング部１１０が、［対応例＃１−１］及び［選択例＃１］に基づく場合に、割当ＲＢ数「５０」の割当ＲＢを設定した場合を考える。この場合、スケジューリング部１１０は、［対応例＃２］に基づき、通知ＲＢ数を割当ＲＢ数「５０」に対応する「５２」に設定する。また、スケジューリング部１１０は、［選択例＃１］に基づき、通知ＲＢを確保する。例えば、図１１Ａに示すように、割当ＲＢが通知ＲＢの低周波数側のＲＢに順に配置されるような通知ＲＢを確保し、確保した通知ＲＢに対応するシグナリングビットで構成されるビットマップをリソース情報として生成する。
【００９７】
このように、スケジューリング部１１０は、通知ＲＢ数が「２ｎ×３ｍ×５ｌ」（ｎ，ｍ，ｌは０以上の整数）で表現できない場合、通知ＲＢ数に対応する実際の送信帯域に用いる割当ＲＢ数を、「２ｎ×３ｍ×５ｌ」のいずれかで表現できるリソースブロック数に設定し、割当ＲＢに対応するＲＢＧの情報を、リソース割当情報として生成する。
【００９８】
以上のように、本実施の形態では、割当ＲＢ数設定部２０８は、通知ＲＢ数が、「２ｎ×３ｍ×５ｌ」で表現できない場合、通知ＲＢ数に対応する割当リソースブロック数を、「２ｎ×３ｍ×５ｌ」のいずれかで表現できるリソースブロック数に設定し、割当ＲＢ選択部２０９は、リソース割当情報、及び、割当ＲＢ数から、実際の送信帯域に用いられる割当ＲＢを選択するようにした。また、スケジューリング部１１０は、通知ＲＢ数に対応する実際の送信帯域に用いる割当ＲＢ数を、「２ｎ×３ｍ×５ｌ」のいずれかで表現できるリソースブロック数に設定し、割当ＲＢに対応するＲＢＧの情報を、リソース割当情報として生成するようにした。これにより、ＤＦＴ回路規模を増加させずに、柔軟に周波数スケジューリングすることができるようになる。
【００９９】
なお、以上の説明では、Ｔｙｐｅ０割当に従い、ＲＢＧ単位でリソースを割り当てるか否か示すシグナリングビット（１又は０）を立て、これらシグナリングビットから構成されるビットマップが、リソース割当情報として通知される場合について説明したが、これに限られず、例えば、Ｐ（ＲＢ）単位で割り当てられるフォーマットとしてもよい。例えば、システム帯域がＰ（ＲＢ）単位で分割されたＲＢＧに対して、割り当てるリソースの最初と最後のＲＢＧを通知する方法でもよいし、割り当てるリソースの最初のＲＢＧとその帯域幅のＲＢＧ数を通知する方法でもよい。また、複数に分割されるグループは、必ずしもＰ（ＲＢ）単位で分割されていなくてもよく、ビットマップが対応するグループに含まれるＲＢ数を、基地局装置及び端末装置が共有していればよい。
【０１００】
また、以上の説明では、ＤＦＴ回路に入力されるＲＢ数が「２ｎ×３ｍ×５ｌ」に制限される場合について説明したが，ＤＦＴ回路に代えてＦＦＴ回路を用いる場合においても、本発明を適用することができる。ＦＦＴ回路では、ＦＦＴ回路に入力されるＲＢ数が「２ｎ」に制限されるので、「２ｎ×３ｍ×５ｌ」を「２ｎ」に置き替えて、追加ＲＢ数と割当ＲＢ数との対応表を設定するようにすればよい。ただし、本発明は、入力信号が「２ｎ」のＲＢ数に制限されるＦＦＴ回路よりも多数のＲＢ数を選択できるＤＦＴ回路により好適である。
【０１０１】
なお、基地局は、利用しないＲＢに他の端末のリソースを割り当ててもよいし、端末は、利用しないＲＢを自局又は他局の制御情報を送信するリソースとして用いてもよい。
【０１０２】
なお、本発明ではシステム帯域が分割されたグループ毎に送信帯域の割当の有無を指示するとしたが、システム帯域の全帯域ではなく、一部の帯域に適用されてもよい。すなわち、システム帯域が１００ＲＢにおいて、１００ＲＢに対してリソース割当情報が生成される場合に限定せず、５０ＲＢに対してリソース割当情報が生成される場合に適用してもよい。
【０１０３】
なお、上記実施の形態では各アンテナから各データ信号が送信される場合を想定して説明したが、本発明は各アンテナポート（antenna port）から各データ信号が送信される場合でも同様に適用できる。
【０１０４】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１０５】
例えば３ＧＰＰ  ＬＴＥにおいては、アンテナポートが何本の物理アンテナから構成されるかは規定されず、基地局が異なる参照信号（Reference signal）を送信できる最小単位として規定されている。
【０１０６】
また、アンテナポートはプリコーディングベクトル（Precoding vector）の重み付けを乗算する最小単位として規定されることもある。
【０１０７】
また、上記実施の形態では、本発明をハードウェアで構成する場合を例にとって説明したが、本発明はソフトウェアで実現することも可能である。
【０１０８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１１】
２００９年３月１６日出願の特願２００９−０６３０６２に含まれる明細書、図面及び要約書の開示内容は、すべて本願に援用される。
【産業上の利用可能性】
【０１１２】
本発明は、データ信号を非連続帯域割り当てる無線通信システムにおける無線通信装置及び無線通信方法等として有用である。
【符号の説明】
【０１１３】
１００  基地局
１０１，２０６  符号化部
１０２，２０７  変調部
１０３，２１２  送信ＲＦ部
１０４，２０１  アンテナ
１０５，２０２  受信ＲＦ部
１０６  分離部
１０７，１１１  ＤＦＴ部
１０８，１１２  デマッピング部
１０９  伝搬路推定部
１１０  スケジューリング部
１１３  周波数領域等化部
１１４  ＩＦＦＴ部
１１５，２０３  復調部
１１６，２０４  復号部
１１７  誤り検出部
２００  端末
２０５  ＣＲＣ部
２０８  割当ＲＢ数設定部
２０９  割当ＲＢ選択部
２１０  ＲＢ割当部
２１１  多重化部
【手続補正２】
【補正対象書類名】特許請求の範囲
【補正対象項目名】全文
【補正方法】変更
【補正の内容】
【特許請求の範囲】
【請求項１】
システム帯域が複数に分割されたグループごとに、リソースが割り当てられたか否かを示すリソース割当情報を受信する受信手段と、
前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定する設定手段と、
前記リソース割当情報、及び、前記割当リソースブロック数から、実際の送信帯域に用いられる割当リソースブロックを選択する選択手段と、
を具備する無線通信装置。
【請求項２】
前記設定手段は、
前記通知リソースブロック数に最も近い「２ｎ×３ｍ×５ｌ」で表現できるリソースブロック数を、前記割当リソースブロック数に設定する、
請求項１に記載の無線通信装置。
【請求項３】
前記設定手段は、
前記通知リソースブロック数より大きい「２ｎ×３ｍ×５ｌ」で表現できるリソースブロック数のうち、最小のリソースブロック数を、前記割当リソースブロック数に設定する、
請求項１に記載の無線通信装置。
【請求項４】
前記設定手段は、
前記通知リソースブロック数より小さい「２ｎ×３ｍ×５ｌ」で表現できるリソースブロック数のうち、最大のリソースブロック数を、前記割当リソースブロック数に設定する、
請求項１に記載の無線通信装置。
【請求項５】
前記選択手段は、
前記通知リソースブロックのうち、低周波数側又は高周波数側のリソースブロックから、前記割当リソースブロックを選択する、
請求項１に記載の無線通信装置。
【請求項６】
前記選択手段は、
前記通知リソースブロックのうち、クラスタの高周波数側又は低周波数側のリソースブロックを、前記割当リソースブロック以外の前記送信帯域に利用しないリソースブロックとして選択する、
請求項１に記載の無線通信装置。
【請求項７】
前記選択手段は、
前記通知リソースブロックのうち、低周波数側から所定数のリソースブロックを、前記割当リソースブロックとして選択する、
請求項１に記載の無線通信装置。
【請求項８】
前記通知リソースブロック数が異なり、前記割当リソースブロック数が同一となる場合、
前記選択手段は、
前記通知リソースブロック数に応じて、前記割当リソースブロックの組み合わせを異なる組み合わせとする、
請求項１に記載の無線通信装置。
【請求項９】
実際のリソースとして割り当てる割当リソースブロック数を「２ｎ×３ｍ×５ｌ」（ｎ，ｍ，ｌは０以上の整数）のいずれかで表現できるリソースブロック数とし、リソースを割り当てるか否かを決定するスケジューリング手段と、
システム帯域が複数に分割されたグループのうち、前記実際のリソースに対応するグループの情報を、リソース割当情報として送信する送信手段と、
を具備する無線通信装置。
【請求項１０】
システム帯域が複数に分割されたグループごとに、リソースが割り当てられたか否かを示すリソース割当情報を受信し、
前記リソース割当情報により通知される通知リソースブロック数が、「２ｎ×３ｍ×５ｌ」（ｎ，ｍ，ｌは０以上の整数）で表現できない場合、前記通知リソースブロック数に対応する実際の送信帯域に用いる割当リソースブロック数を、「２ｎ×３ｍ×５ｌ」のいずれかで表現できるリソースブロック数に設定し、
前記リソース割当情報、及び、前記割当リソースブロック数から、実際の送信帯域に用いられる割当リソースブロックを選択する、
無線通信方法。
【請求項１１】
実際のリソースとして割り当てる割当リソースブロック数を「２ｎ×３ｍ×５ｌ」（ｎ，ｍ，ｌは０以上の整数）のいずれかで表現できるリソースブロック数とし、リソースを割り当てるか否かを決定し、
システム帯域が複数に分割されたグループのうち、前記実際のリソースに対応するグループの情報を、リソース割当情報として送信する、
る無線通信方法。
【手続補正３】
【補正対象書類名】図面
【補正対象項目名】全図
【補正方法】変更
【補正の内容】
【図１】
2010106783.tif 000028
【図２】
2010106783.tif 000029
【図３】
2010106783.tif 000030
【図４】
2010106783.tif 000031
【図５】
2010106783.tif 000032
【図６】
2010106783.tif 000033
【図７】
2010106783.tif 000034
【図８】
2010106783.tif 000035
【図９】
2010106783.tif 000036
【図１０】
2010106783.tif 000037
【図１１Ａ】
2010106783.tif 000038
【図１１Ｂ】
2010106783.tif 000039
【図１１Ｃ】
2010106783.tif 000040
【図１２】
2010106783.tif 000041
【図１３Ａ】
2010106783.tif 000042
【図１３Ｂ】
2010106783.tif 000043
【図１３Ｃ】
2010106783.tif 000044
【図１３Ｄ】
2010106783.tif 000045
【図１４】
2010106783.tif 000046
【図１５】
2010106783.tif 000047
【図１６】
2010106783.tif 000048
【図１７】
2010106783.tif 000049
【図１８】
2010106783.tif 000050
【国際調査報告】
2010106783.tif 000051
2010106783.tif 000052